(57)【要約】      （修正有）【課題】商品と商品販売を一元管理し、明確な流通経路、販売経路を確立させる販売システムを提供する。【解決手段】人口分布、年齢層、地理的条件等の地域情報と、地域情報に係る商品の販売動向、市場動向等の市場情報とを記憶する市場情報記憶手段２００と、地域情報と市場情報から商品に適合する販売領域を抽出し、販売区分を作成する販売区分作成手段１０と、販売区分に係る地域情報と市場情報を記憶する販売区分記憶手段２０１と、販売区分における商品の販売や宣伝を行う販売者を店舗形態や販売形態とともに記憶する販売者記憶手段２０２と、販売区分に適合する販売者を選択する販売者選択手段２０と、商品の分野や販売価格帯、商品販売形態等を記憶する商品情報記憶手段２０３と、販売区分の市場情報と、販売者が販売可能な商品を選択する商品選択手段３０とで構成した販売システム。【選択図】図１
2004310555.tif 000002
【特許請求の範囲】
【請求項１】
人口分布、年齢層、地理的条件等の地域情報と、前記地域情報に係る商品の販売動向、市場動向等の市場情報とを記憶する市場情報記憶手段と、
前記地域情報と前記市場情報とから商品の販売に適合する販売領域を抽出し、複数の販売区分を前記販売領域に基づいて作成する販売区分作成手段と、
前記販売区分に係る前記地域情報と前記市場情報とを、前記販売区分毎に記憶する販売区分記憶手段と、
前記販売区分に展開される商品の販売や宣伝を行う販売者を、前記販売者が備える店舗形態や販売形態とともに記憶する販売者記憶手段と、
前記販売区分に係る前記地域情報と前記市場情報とに適合する前記店舗形態や前記販売形態を備える前記販売者を選択する販売者選択手段と、
前記商品の商品分野や販売価格帯、商品販売形態等を記憶する商品情報記憶手段と、
前記販売区分に係る前記市場情報と、前記販売者の前記店舗形態や販売形態とに基づいて、前記販売者が販売可能な前記商品を選択する商品選択手段と、
を備える販売システム。
【請求項２】
人口分布、年齢層、地理的条件等の地域情報と、前記地域情報に係る商品の販売動向、市場動向等の市場情報とを記憶する市場情報記憶手段と、
前記地域情報と前記市場情報とから商品の販売に適合する販売領域を抽出し、複数の販売区分を前記販売領域に基づいて作成する販売区分作成手段と、
前記販売区分に係る前記地域情報と前記市場情報とを、前記販売区分毎に記憶する販売区分記憶手段と、
前記販売区分に展開される商品の販売や宣伝を行う販売者を、前記販売者が備える店舗形態や販売形態とともに記憶する販売者記憶手段と、
前記販売区分に係る前記地域情報と前記市場情報とに適合する前記店舗形態や前記販売形態を備える前記販売者を選択する販売者選択手段と、
複数の前記販売区分から２つ以上の前記販売区分を抽出するとともに、抽出した前記販売区分を統合して新しい販売区分を作成する販売区分統合手段と、
を備える販売システム。
【請求項３】
人口分布、年齢層、地理的条件等の地域情報と、前記地域情報に係る商品の販売動向、市場動向等の市場情報とを記憶する市場情報記憶手段と、
前記地域情報と前記市場情報とから商品の販売に適合する販売領域を抽出し、複数の販売区分を前記販売領域に基づいて作成する販売区分作成手段と、
前記販売区分に係る前記地域情報と前記市場情報とを、前記販売区分毎に記憶する販売区分記憶手段と、
前記販売区分に展開される商品の販売や宣伝を行う販売者を、前記販売者が備える店舗形態や販売形態とともに記憶する販売者記憶手段と、
前記販売区分に係る前記地域情報と前記市場情報とに適合する前記店舗形態や前記販売形態を備える前記販売者を選択する販売者選択手段と、
前記商品を販売、宣伝するために前記販売者が展開する店舗や販売手段を備えた販売機器等のロケーション情報を記憶するロケーション情報記憶手段と、
前記販売区分又は前記販売者毎に展開される前記商品に適合する前記ロケーション情報を選択するロケーション選択手段と、
を備える販売システム。
【請求項４】
人口分布、年齢層、地理的条件等の地域情報と、前記地域情報に係る商品の販売動向、市場動向等の市場情報とを記憶する市場情報記憶手段と、
前記地域情報と前記市場情報とから商品の販売に適合する販売領域を抽出し、複数の販売区分を前記販売領域に基づいて作成する販売区分作成手段と、
前記販売区分に係る前記地域情報と前記市場情報とを、前記販売区分毎に記憶する販売区分記憶手段と、
前記販売区分に展開される商品の販売や宣伝を行う販売者を、前記販売者が備える店舗形態や販売形態とともに記憶する販売者記憶手段と、
前記販売区分に係る前記地域情報と前記市場情報とに適合する前記店舗形態や前記販売形態を備える前記販売者を選択する販売者選択手段と、
一方の前記販売区分で販売される前記商品を他方の前記販売区分で販売するように、販売期間等に基づいて前記商品を前記販売区分毎にローテーションさせる商品ローテーション情報を記憶する商品ローテーション記憶手段と、
前記商品ローテーション情報を前記販売期間等に基づいて、前記販売区分又は前記販売者に送信する商品ローテーション手段と、
を備える販売システム。
【請求項５】
人口分布、年齢層、地理的条件等の地域情報と、前記地域情報に係る商品の販売動向、市場動向等の市場情報とを記憶する市場情報記憶手段と、
前記地域情報と前記市場情報とから商品の販売に適合する販売領域を抽出し、複数の販売区分を前記販売領域に基づいて作成する販売区分作成手段と、
前記販売区分に係る前記地域情報と前記市場情報とを、前記販売区分毎に記憶する販売区分記憶手段と、
前記販売区分に展開される商品の販売や宣伝を行う販売者を、前記販売者が備える店舗形態や販売形態とともに記憶する販売者記憶手段と、
前記販売区分に係る前記地域情報と前記市場情報とに適合する前記店舗形態や前記販売形態を備える前記販売者を選択する販売者選択手段と、
前記商品を販売、宣伝するために前記販売者が前記販売区分に展開する前記店舗形態や前記販売形態を、前記販売区分とは異なる他方の販売区分で展開するように前記店舗形態や前記販売形態を販売区分毎にローテーションさせる販売ローテーション情報を記憶する販売ローテーション記憶手段と、
前記販売ローテーション情報を、前記販売区分又は前記販売者に送信する販売ローテーション手段と、
を備える販売システム。
【請求項６】
人口分布、年齢層、地理的条件等の地域情報と、前記地域情報に係る商品の販売動向、市場動向等の市場情報とを記憶する市場情報記憶手段と、
前記地域情報と前記市場情報とから商品の販売に適合する販売領域を抽出し、複数の販売区分を前記販売領域に基づいて作成する販売区分作成手段と、
前記販売区分に係る前記地域情報と前記市場情報とを、前記販売区分毎に記憶する販売区分記憶手段と、
一方の前記販売区分で販売される前記商品を他方の前記販売区分で販売するように、販売期間等に基づいて前記商品を前記販売区分毎にローテーションさせる商品ローテーション情報を記憶する商品ローテーション記憶手段と、
一方の前記販売区分に展開される前記商品を販売、宣伝する店舗や販売手段を備える販売機器等の店舗形態や販売形態を、一方の前記販売区分とは異なる他方の前記販売区分で展開するように前記店舗形態や前記販売形態を販売区分毎にローテーションさせる販売ローテーション情報を記憶する販売ローテーション記憶手段と、
前記商品ローテーション情報と前記販売ローテーション情報とを、前記販売区分に送信するローテーション手段と、
を備える販売システム。
【請求項７】
請求項１〜６いずれか記載の販売システムにおいて、前記販売区分毎に選択される前記販売者に対して、前記商品の代理販売や委託販売等の契約を締結するための契約締結情報を記憶する契約情報記憶手段と、
前記地域情報、前記市場情報及び前記契約情報に基づいて、前記販売者の前記店舗形態や前記販売形態に適合する契約を締結するための契約締結手段と、
を備えることを特徴とする販売システム。
【請求項８】
人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、前記商品の商品分野や販売価格帯、商品販売形態等を記憶する商品情報記憶手段と、前記販売区分に係る前記市場情報と、前記販売者の前記店舗形態や販売形態とに基づいて、前記販売者が販売可能な前記商品を選択する商品選択手段と、
前記市場情報記憶手段と前記販売区分作成手段と前記販売区分記憶手段と前記販売者記憶手段と前記販売者選択手段と前記商品情報記憶手段と前記商品選択手段とを制御することが可能な情報処理手段とを備えた販売システムの情報処理手段にて動作する販売プログラムであって、
前記情報処理手段に、
前記市場情報記憶手段が、人口分布、年齢層、地理的条件等の地域情報と、前記地域情報に係る商品の販売動向、市場動向等の市場情報とを記憶する機能と、前記販売区分作成手段が、前記地域情報と前記市場情報とから商品の販売に適合する販売領域を抽出し、複数の販売区分を前記販売領域に基づいて作成する機能と、
前記販売区分記憶手段が、前記販売区分に係る前記地域情報と前記市場情報とを、前記販売区分毎に記憶する機能と、
前記販売者記憶手段が、前記販売区分に展開される商品の販売や宣伝を行う販売者を、前記販売者が備える店舗形態や販売形態とともに記憶する機能と、
前記販売者選択手段が、前記販売区分に係る前記地域情報と前記市場情報とに適合する前記店舗形態や前記販売形態を備える前記販売者を選択する機能と、
前記商品情報記憶手段が、前記商品の商品分野や販売価格帯、商品販売形態等を記憶する機能と、
前記商品選択手段が、前記販売区分に係る前記市場情報と、前記販売者の前記店舗形態や販売形態とに基づいて、前記販売者が販売可能な前記商品を選択する機能と、
を実現させることを特徴とする販売プログラム。
【請求項９】
人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、複数の前記販売区分から２つ以上の前記販売区分を抽出するとともに、抽出した前記販売区分を統合して新しい販売区分を作成する販売区分統合手段と、
前記市場情報記憶手段と前記販売区分作成手段と前記販売区分記憶手段と前記販売者記憶手段と前記販売者選択手段と前記販売区分統合手段とを制御することが可能な情報処理手段とを備えた販売システムの情報処理手段にて動作する販売プログラムであって、
前記情報処理手段に、
前記市場情報記憶手段が、人口分布、年齢層、地理的条件等の地域情報と、前記地域情報に係る商品の販売動向、市場動向等の市場情報とを記憶する機能と、前記販売区分作成手段が、前記地域情報と前記市場情報とから商品の販売に適合する販売領域を抽出し、複数の販売区分を前記販売領域に基づいて作成する機能と、
前記販売区分記憶手段が、前記販売区分に係る前記地域情報と前記市場情報とを、前記販売区分毎に記憶する機能と、
前記販売者記憶手段が、前記販売区分に展開される商品の販売や宣伝を行う販売者を、前記販売者が備える店舗形態や販売形態とともに記憶する機能と、
前記販売者選択手段が、前記販売区分に係る前記地域情報と前記市場情報とに適合する前記店舗形態や前記販売形態を備える前記販売者を選択する機能と、
前記販売区分統合手段が、複数の前記販売区分から２つ以上の前記販売区分を抽出するとともに、抽出した前記販売区分を統合して新しい販売区分を作成する機能と、
を実現させることを特徴とする販売プログラム。
【請求項１０】
人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、前記商品を販売、宣伝するために前記販売者が展開する店舗や販売手段を備えた販売機器等のロケーション情報を記憶するロケーション情報記憶手段と、前記販売区分又は前記販売者毎に展開される前記商品に適合する前記ロケーション情報を選択するロケーション選択手段と、
前記市場情報記憶手段と前記販売区分作成手段と前記販売区分記憶手段と前記販売者記憶手段と前記販売者選択手段と前記ロケーション情報記憶手段と前記ロケーション選択手段とを制御することが可能な情報処理手段とを備えた販売システムの情報処理手段にて動作する販売プログラムであって、
前記情報処理手段に、
前記市場情報記憶手段が、人口分布、年齢層、地理的条件等の地域情報と、前記地域情報に係る商品の販売動向、市場動向等の市場情報とを記憶する機能と、前記販売区分作成手段が、前記地域情報と前記市場情報とから商品の販売に適合する販売領域を抽出し、複数の販売区分を前記販売領域に基づいて作成する機能と、
前記販売区分記憶手段が、前記販売区分に係る前記地域情報と前記市場情報とを、前記販売区分毎に記憶する機能と、
前記販売者記憶手段が、前記販売区分に展開される商品の販売や宣伝を行う販売者を、前記販売者が備える店舗形態や販売形態とともに記憶する機能と、
前記販売者選択手段が、前記販売区分に係る前記地域情報と前記市場情報とに適合する前記店舗形態や前記販売形態を備える前記販売者を選択する機能と、
前記ロケーション情報記憶手段が、前記商品を販売、宣伝するために前記販売者が展開する店舗や販売手段を備えた販売機器等のロケーション情報を記憶する機能と、
前記ロケーション選択手段が、前記販売区分又は前記販売者毎に展開される前記商品に適合する前記ロケーション情報を選択する機能と、
を実現させることを特徴とする販売プログラム。
【請求項１１】
人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、一方の前記販売区分で販売される前記商品を他方の前記販売区分で販売するように、販売期間等に基づいて前記商品を前記販売区分毎にローテーションさせる商品ローテーション情報を記憶する商品ローテーション記憶手段と、前記商品ローテーション情報を前記販売期間等に基づいて、前記販売区分又は前記販売者に送信する商品ローテーション手段と、
前記市場情報記憶手段と前記販売区分作成手段と前記販売区分記憶手段と前記販売者記憶手段と前記販売者選択手段と前記商品ローテーション記憶手段と前記商品ローテーション手段とを制御することが可能な情報処理手段とを備えた販売システムの情報処理手段にて動作する販売プログラムであって、
前記情報処理手段に、
前記市場情報記憶手段が、人口分布、年齢層、地理的条件等の地域情報と、前記地域情報に係る商品の販売動向、市場動向等の市場情報とを記憶する機能と、前記販売区分作成手段が、前記地域情報と前記市場情報とから商品の販売に適合する販売領域を抽出し、複数の販売区分を前記販売領域に基づいて作成する機能と、
前記販売区分記憶手段が、前記販売区分に係る前記地域情報と前記市場情報とを、前記販売区分毎に記憶する機能と、
前記販売者記憶手段が、前記販売区分に展開される商品の販売や宣伝を行う販売者を、前記販売者が備える店舗形態や販売形態とともに記憶する機能と、
前記販売者選択手段が、前記販売区分に係る前記地域情報と前記市場情報とに適合する前記店舗形態や前記販売形態を備える前記販売者を選択する機能と、
前記商品ローテーション記憶手段が、一方の前記販売区分で販売される前記商品を他方の前記販売区分で販売するように、販売期間等に基づいて前記商品を前記販売区分毎にローテーションさせる商品ローテーション情報を記憶する機能と、
前記商品ローテーション手段が、前記商品ローテーション情報を前記販売期間等に基づいて、前記販売区分又は前記販売者に送信する機能と、
を実現させることを特徴とする販売プログラム。
【請求項１２】
人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、前記商品を販売、宣伝するために前記販売者が前記販売区分に展開する前記店舗形態や前記販売形態を、前記販売区分とは異なる他方の販売区分で展開するように前記店舗形態や前記販売形態を販売区分毎にローテーションさせる販売ローテーション情報を記憶する販売ローテーション記憶手段と、前記販売ローテーション情報を、前記販売区分又は前記販売者に送信する販売ローテーション手段と、
前記市場情報記憶手段と前記販売区分作成手段と前記販売区分記憶手段と前記販売者記憶手段と前記販売者選択手段と前記販売ローテーション記憶手段と前記販売ローテーション手段とを制御することが可能な情報処理手段とを備えた販売システムの情報処理手段にて動作する販売プログラムであって、
前記情報処理手段に、
前記市場情報記憶手段が、人口分布、年齢層、地理的条件等の地域情報と、前記地域情報に係る商品の販売動向、市場動向等の市場情報とを記憶する機能と、前記販売区分作成手段が、前記地域情報と前記市場情報とから商品の販売に適合する販売領域を抽出し、複数の販売区分を前記販売領域に基づいて作成する機能と、
前記販売区分記憶手段が、前記販売区分に係る前記地域情報と前記市場情報とを、前記販売区分毎に記憶する機能と、
前記販売者記憶手段が、前記販売区分に展開される商品の販売や宣伝を行う販売者を、前記販売者が備える店舗形態や販売形態とともに記憶する機能と、
前記販売者選択手段が、前記販売区分に係る前記地域情報と前記市場情報とに適合する前記店舗形態や前記販売形態を備える前記販売者を選択する機能と、
前記販売ローテーション記憶手段が、前記商品を販売、宣伝するために前記販売者が前記販売区分に展開する前記店舗形態や前記販売形態を、前記販売区分とは異なる他方の販売区分で展開するように前記店舗形態や前記販売形態を販売区分毎にローテーションさせる販売ローテーション情報を記憶する機能と、
前記販売ローテーション手段が、前記販売ローテーション情報を、前記販売区分又は前記販売者に送信する機能と、
を実現させることを特徴とする販売プログラム。
【請求項１３】
人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、一方の前記販売区分で販売される前記商品を他方の前記販売区分で販売するように、販売期間等に基づいて前記商品を前記販売区分毎にローテーションさせる商品ローテーション情報を記憶する商品ローテーション記憶手段と、一方の前記販売区分に展開される前記商品を販売、宣伝する店舗や販売手段を備える販売機器等の店舗形態や販売形態を、一方の前記販売区分とは異なる他方の前記販売区分で展開するように前記店舗形態や前記販売形態を販売区分毎にローテーションさせる販売ローテーション情報を記憶する販売ローテーション記憶手段と、前記商品ローテーション情報と前記販売ローテーション情報とを、前記販売区分に送信するローテーション手段と、
前記市場情報記憶手段と前記販売区分作成手段と前記販売区分記憶手段と前記商品ローテーション記憶手段と前記販売ローテーション記憶手段と前記ローテーション手段とを制御することが可能な情報処理手段とを備えた販売システムの情報処理手段にて動作する販売プログラムであって、
前記情報処理手段に、
前記市場情報記憶手段が、人口分布、年齢層、地理的条件等の地域情報と、前記地域情報に係る商品の販売動向、市場動向等の市場情報とを記憶する機能と、前記販売区分作成手段が、前記地域情報と前記市場情報とから商品の販売に適合する販売領域を抽出し、複数の販売区分を前記販売領域に基づいて作成する機能と、
前記販売区分記憶手段が、前記販売区分に係る前記地域情報と前記市場情報とを、前記販売区分毎に記憶する機能と、
前記商品ローテーション記憶手段が、一方の前記販売区分で販売される前記商品を他方の前記販売区分で販売するように、販売期間等に基づいて前記商品を前記販売区分毎にローテーションさせる商品ローテーション情報を記憶する機能と、
前記販売ローテーション記憶手段が、一方の前記販売区分に展開される前記商品を販売、宣伝する店舗や販売手段を備える販売機器等の店舗形態や販売形態を、一方の前記販売区分とは異なる他方の前記販売区分で展開するように前記店舗形態や前記販売形態を販売区分毎にローテーションさせる販売ローテーション情報を記憶する機能と、
前記ローテーション手段が、前記商品ローテーション情報と前記販売ローテーション情報とを、前記販売区分に送信する機能と、
を実現させることを特徴とする販売プログラム。
【請求項１４】
請求項８〜１３いずれか記載の販売プログラムにおいて、前記販売システムは、前記販売区分毎に選択される前記販売者に対して、前記商品の代理販売や委託販売等の契約を締結するための契約締結情報を記憶する契約情報記憶手段と、前記地域情報、前記市場情報及び前記契約情報に基づいて、前記販売者の前記店舗形態や前記販売形態に適合する契約を締結するための契約締結手段とを備え、
前記情報処理手段に、
前記契約情報記憶手段が、前記販売区分毎に選択される前記販売者に対して、前記商品の代理販売や委託販売等の契約を締結するための契約締結情報を記憶する機能と、
前記契約締結手段が、前記地域情報、前記市場情報及び前記契約情報に基づいて、前記販売者の前記店舗形態や前記販売形態に適合する契約を締結する機能と、
を実現させることを特徴とする販売プログラム。
【請求項１５】
人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、
前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、前記商品の商品分野や販売価格帯、商品販売形態等を記憶する商品情報記憶手段と、前記販売区分に係る前記市場情報と、前記販売者の前記店舗形態や販売形態とに基づいて、前記販売者が販売可能な前記商品を選択する商品選択手段とを備える販売システムにおける販売方法であって、
人口分布、年齢層、地理的条件等の地域情報と、前記地域情報に係る商品の販売動向、市場動向等の市場情報とを記憶する工程と、
前記地域情報と前記市場情報とから商品の販売に適合する販売領域を抽出し、複数の販売区分を前記販売領域に基づいて作成する工程と、
前記販売区分に係る前記地域情報と前記市場情報とを、前記販売区分毎に記憶する工程と、
前記販売区分に展開される商品の販売や宣伝を行う販売者を、前記販売者が備える店舗形態や販売形態とともに記憶する工程と、
前記販売区分に係る前記地域情報と前記市場情報とに適合する前記店舗形態や前記販売形態を備える前記販売者を選択する工程と、
前記商品の商品分野や販売価格帯、商品販売形態等を記憶する工程と、
前記販売区分に係る前記市場情報と、前記販売者の前記店舗形態や販売形態とに基づいて、前記販売者が販売可能な前記商品を選択する工程と、
を含むことを特徴とする販売方法。
【請求項１６】
人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、複数の前記販売区分から２つ以上の前記販売区分を抽出するとともに、抽出した前記販売区分を統合して新しい販売区分を作成する販売区分統合手段とを備える販売システムにおける販売方法であって、
人口分布、年齢層、地理的条件等の地域情報と、前記地域情報に係る商品の販売動向、市場動向等の市場情報とを記憶する工程と、
前記地域情報と前記市場情報とから商品の販売に適合する販売領域を抽出し、複数の販売区分を前記販売領域に基づいて作成する工程と、
前記販売区分に係る前記地域情報と前記市場情報とを、前記販売区分毎に記憶する工程と、
前記販売区分に展開される商品の販売や宣伝を行う販売者を、前記販売者が備える店舗形態や販売形態とともに記憶する工程と、
前記販売区分に係る前記地域情報と前記市場情報とに適合する前記店舗形態や前記販売形態を備える前記販売者を選択する工程と、
複数の前記販売区分から２つ以上の前記販売区分を抽出するとともに、抽出した前記販売区分を統合して新しい販売区分を作成する工程と、
を含むことを特徴とする販売方法。
【請求項１７】
人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、前記商品を販売、宣伝するために前記販売者が展開する店舗や販売手段を備えた販売機器等のロケーション情報を記憶するロケーション情報記憶手段と、前記販売区分又は前記販売者毎に展開される前記商品に適合する前記ロケーション情報を選択するロケーション選択手段とを備える販売システムにおける販売方法であって、
人口分布、年齢層、地理的条件等の地域情報と、前記地域情報に係る商品の販売動向、市場動向等の市場情報とを記憶する工程と、
前記地域情報と前記市場情報とから商品の販売に適合する販売領域を抽出し、複数の販売区分を前記販売領域に基づいて作成する工程と、
前記販売区分に係る前記地域情報と前記市場情報とを、前記販売区分毎に記憶する工程と、
前記販売区分に展開される商品の販売や宣伝を行う販売者を、前記販売者が備える店舗形態や販売形態とともに記憶する工程と、
前記販売区分に係る前記地域情報と前記市場情報とに適合する前記店舗形態や前記販売形態を備える前記販売者を選択する工程と、
前記商品を販売、宣伝するために前記販売者が展開する店舗や販売手段を備えた販売機器等のロケーション情報を記憶する工程と、
前記販売区分又は前記販売者毎に展開される前記商品に適合する前記ロケーション情報を選択する工程と、
を含むことを特徴とする販売方法。
【請求項１８】
人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、一方の前記販売区分で販売される前記商品を他方の前記販売区分で販売するように、販売期間等に基づいて前記商品を前記販売区分毎にローテーションさせる商品ローテーション情報を記憶する商品ローテーション記憶手段と、前記商品ローテーション情報を前記販売期間等に基づいて、前記販売区分又は前記販売者に送信する商品ローテーション手段とを備える販売システムにおける販売方法であって、
人口分布、年齢層、地理的条件等の地域情報と、前記地域情報に係る商品の販売動向、市場動向等の市場情報とを記憶する工程と、
前記地域情報と前記市場情報とから商品の販売に適合する販売領域を抽出し、複数の販売区分を前記販売領域に基づいて作成する工程と、
前記販売区分に係る前記地域情報と前記市場情報とを、前記販売区分毎に記憶する工程と、
前記販売区分に展開される商品の販売や宣伝を行う販売者を、前記販売者が備える店舗形態や販売形態とともに記憶する工程と、
前記販売区分に係る前記地域情報と前記市場情報とに適合する前記店舗形態や前記販売形態を備える前記販売者を選択する工程と、
一方の前記販売区分で販売される前記商品を他方の前記販売区分で販売するように、販売期間等に基づいて前記商品を前記販売区分毎にローテーションさせる商品ローテーション情報を記憶する工程と、
前記商品ローテーション情報を前記販売期間等に基づいて、前記販売区分又は前記販売者に送信する工程と、
を含むことを特徴とする販売方法。
【請求項１９】
人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、前記商品を販売、宣伝するために前記販売者が前記販売区分に展開する前記店舗形態や前記販売形態を、前記販売区分とは異なる他方の販売区分で展開するように前記店舗形態や前記販売形態を販売区分毎にローテーションさせる販売ローテーション情報を記憶する販売ローテーション記憶手段と、前記販売ローテーション情報を、前記販売区分又は前記販売者に送信する販売ローテーション手段とを備える販売システムにおける販売方法であって、
人口分布、年齢層、地理的条件等の地域情報と、前記地域情報に係る商品の販売動向、市場動向等の市場情報とを記憶する工程と、
前記地域情報と前記市場情報とから商品の販売に適合する販売領域を抽出し、複数の販売区分を前記販売領域に基づいて作成する工程と、
前記販売区分に係る前記地域情報と前記市場情報とを、前記販売区分毎に記憶する工程と、
前記販売区分に展開される商品の販売や宣伝を行う販売者を、前記販売者が備える店舗形態や販売形態とともに記憶する工程と、
前記販売区分に係る前記地域情報と前記市場情報とに適合する前記店舗形態や前記販売形態を備える前記販売者を選択する工程と、
前記商品を販売、宣伝するために前記販売者が前記販売区分に展開する前記店舗形態や前記販売形態を、前記販売区分とは異なる他方の販売区分で展開するように前記店舗形態や前記販売形態を販売区分毎にローテーションさせる販売ローテーション情報を記憶する工程と、
前記販売ローテーション情報を、前記販売区分又は前記販売者に送信する工程と、
を含むことを特徴とする販売方法。
【請求項２０】
人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、一方の前記販売区分で販売される前記商品を他方の前記販売区分で販売するように、販売期間等に基づいて前記商品を前記販売区分毎にローテーションさせる商品ローテーション情報を記憶する商品ローテーション記憶手段と、一方の前記販売区分に展開される前記商品を販売、宣伝する店舗や販売手段を備える販売機器等の店舗形態や販売形態を、一方の前記販売区分とは異なる他方の前記販売区分で展開するように前記店舗形態や前記販売形態を販売区分毎にローテーションさせる販売ローテーション情報を記憶する販売ローテーション記憶手段と、前記商品ローテーション情報と前記販売ローテーション情報とを、前記販売区分に送信するローテーション手段とを備える販売システムにおける販売方法であって、
人口分布、年齢層、地理的条件等の地域情報と、前記地域情報に係る商品の販売動向、市場動向等の市場情報とを記憶する工程と、
前記地域情報と前記市場情報とから商品の販売に適合する販売領域を抽出し、複数の販売区分を前記販売領域に基づいて作成する工程と、
前記販売区分に係る前記地域情報と前記市場情報とを、前記販売区分毎に記憶する工程と、
一方の前記販売区分で販売される前記商品を他方の前記販売区分で販売するように、販売期間等に基づいて前記商品を前記販売区分毎にローテーションさせる商品ローテーション情報を記憶する工程と、
一方の前記販売区分に展開される前記商品を販売、宣伝する店舗や販売手段を備える販売機器等の店舗形態や販売形態を、一方の前記販売区分とは異なる他方の前記販売区分で展開するように前記店舗形態や前記販売形態を販売区分毎にローテーションさせる販売ローテーション情報を記憶する工程と、
前記商品ローテーション情報と前記販売ローテーション情報とを、前記販売区分に送信する工程と、
を含むことを特徴とする販売方法。
【請求項２１】
請求項１５〜２０いずれか記載の販売方法において、前記販売システムは、前記販売区分毎に選択される前記販売者に対して、前記商品の代理販売や委託販売等の契約を締結するための契約締結情報を記憶する契約情報記憶手段と、前記地域情報、前記市場情報及び前記契約情報に基づいて、前記販売者の前記店舗形態や前記販売形態に適合する契約を締結するための契約締結手段とを備え、
前記販売区分毎に選択される前記販売者に対して、前記商品の代理販売や委託販売等の契約を締結するための契約締結情報を記憶する工程と、
前記地域情報、前記市場情報及び前記契約情報に基づいて、前記販売者の前記店舗形態や前記販売形態に適合する契約を締結する工程と、
を含むことを特徴とする販売方法。
【発明の詳細な説明】
【０００１】
【発明の属する技術分野】
本発明は、商品等の販売市場に適合する販売方法を提供する販売システムに関する。
【０００２】
【従来の技術】従来の販売システムは、近年のインターネットの普及にともない、消費者と、商品を販売する販売業者と、商品を製造する製造業者との関係をより近いものとさせ、例えば、卸業者、問屋等の仲介業者を介さずに、製造業者が直接に消費者に商品を提供する販売方法や、消費者と商品を販売する販売業者と商品を製造する製造業者とをネットワークで接続し、ネットワーク上で商品販売を行うインターネット販売等が注目を浴びている。これらの上記従来の販売システムは消費動向や購買意欲、ニーズ等の消費者情報を販売製造する販売業者、製造業者が直接に取得する点、余分な仲介業者を介さないことでのコスト削減が図られる点等において商品の回転効率を高めて販売を促進する有効な商品販売システムであり、消費者に対して商品を積極的に展開するというよりも、消費者のニーズが商品の販売状況を左右する消費者主導型の販売システムといえる。
【０００３】
また、商品の販売市場に対してマーケティング調査や市場調査を行い、調査結果から消費者のニーズや市場ニーズを選定して商品販売、店舗展開等を行う販売システムも多数存在する。消費者ニーズや市場ニーズ等の市場情報に基づく販売システムは、現在から将来にかけての商品の販売戦略や店舗展開に有効に機能する販売システムであり、販売業者、製造業者から積極的に商品を市場に供給する販売業者、製造業者主導型の販売システムといえる。
【０００４】
例えば、特許文献１に記載の販売システムは、消費者と、店舗と、生産者とをネットワークで接続し、卸業者、問屋等の仲介業者を介さないで消費者と店舗、及び消費者と生産者の販売、流通経路を確保し、商品販売を行う販売システムが開示されている。
【０００５】
【特許文献１】
特開２００２−１２３６６８号公報
【０００６】
【発明が解決しようとする課題】しかしながら、消費者主導型の上記従来の販売システムは、消費者の様々なニーズにあった商品を小規模展開するには適合するが、消費者の商品選択の幅や販売業者、製造業者が展開する商品の幅が制限されるため（消費者ニーズを中心に商品展開を行うため、商品展開に一定の絞込み等が必要とされる）、市場情報等を十分に活用した商品販売を行うことができない課題を有している。
【０００７】
また、販売業者、製造業者主導型の上記従来の販売システムは、市場情報を活用した販売戦略や店舗展開を行う販売システムであるため、消費者の選択ではなく販売業者、製造業者が選んだ商品を消費者が購入するので、消費者の商品選択の幅が広がるものの、消費者ニーズに対応するために、多品種の商品を市場に流通させなければならない。よって、消費者へ商品を提供するにあたり、従来の販売システムが持つ販売経路、商品流通経路等では却って消費者への商品展開が複雑となり、一元化された商品の販売、流通が阻害され、販売機会の減少や、流通経路の複雑性から流通コスト、人件費が嵩み、商品自体の価格を高騰させ、逆に、商品価値を下げてしまう原因となる可能性がある（大量の商品流通は、商品のライフサイクルを短くし、商品の販売機会、商品価値等の減少につながる恐れがある。）。
【０００８】
さらに、上記各々の従来の販売システムにおいて、商品を製造する製造業者は、商品を販売する販売業者との販売契約や販売委託等を結ぶことで商品を販売市場の流通させるが、商品の種類や形態によっては、商品に適合する店舗形態や販売形態が備わった販売業者を選定する必要があり、商品を製造する製造業者にとって大きな負担となっている。さらには、製造業者が独自に商品を販売する企業や店舗等を整備した商品流通体系を確立させることは、不経済であり困難であると言わざるを得ない（商社等に商品販売を委託する場合でも、商社等が持つ商品流通体系等を加味して商社等を選択しなければならない。）。
【０００９】
さらに、商品販売市場においても、消費者ニーズや市場ニーズが販売地区によって大きく異なり、その販売地区毎に商品を販売する販売業者を選定することは、商品の販売戦略上大きな意味を持つが、販売業者が持つ店舗形態や販売形態には限界があり、時間的、コスト的な問題点から商品と、商品を販売する店舗や商品を販売する販売形態が不適合な状態となるため、商品と商品を購入する消費者に対して、最適な販売状況を提供することは困難であるとともに、特に無数にある販売地区に対して各々異なる販売戦略を展開させていくことは、時間、コスト等から考えても困難であると言わざるを得ない。
【００１０】
さらに、複数の販売業者に商品販売を委託等した場合、該販売業者の各々が持つ店舗形態や販売形態が異なり、一元化された販売と流通、さらには、複数の店舗間における商品販売方法の汎用性が低下し、商品の入れ替え、店舗形態、販売形態の変更や再構築等を市場ニーズ、消費者ニーズに変動に適合させて行うことは難しい（多大な時間とコストを費やす結果となる可能性が高い）。したがって、多種多様な商品展開と、多種多様な市場ニーズを融合させた的確な商品販売、流通を確立させることは困難である課題を有する。
【００１１】
本発明は、このような課題を考慮してなされたもので、人口分布、年齢層、地理的条件等の地域情報と、地域情報に係る商品の販売動向、市場動向等の市場情報に基づいて、商品の販売に適合する販売領域を抽出して複数の販売区分を作成し、販売区分毎に商品を販売、宣伝する販売者を選択するとともに、販売区分毎に適合する商品を流通させることで、商品と商品販売を一元管理し、明確な流通経路、販売経路を確立させる販売システム、販売プログラム及び販売方法を提供することを課題とする。
【００１２】
【課題を解決するための手段】前述の課題を解決するため、本発明に係る販売システムは、次のような手段を採用する。
【００１３】
即ち、請求項１では、人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、前記商品の商品分野や販売価格帯、商品販売形態等を記憶する商品情報記憶手段と、前記販売区分に係る前記市場情報と、前記販売者の前記店舗形態や販売形態とに基づいて、前記販売者が販売可能な前記商品を選択する商品選択手段とを備える。
【００１４】
この手段では、人口分布、年齢層、地理的条件（交通機関、気候、風土、風習等）等の地域情報と、該地域情報に係る商品の販売動向、市場動向等の市場情報（市場のマーケティング情報、市場ニーズ、消費者動向、商品動向等を含む）とに基づいて、商品の販売に適合する販売領域を抽出し、抽出された販売領域から販売区分を作成する。さらに、作成された販売区分毎に商品を販売、宣伝する販売者を選択するとともに、販売区分に係る市場情報と販売者の店舗形態や販売形態とに基づいて、販売者が販売可能な商品を選択することが可能となる。したがって、販売区分毎の地域情報、市場情報、さらには、販売者の店舗形態、販売形態に基づく商品の販売、宣伝により消費者ニーズに対する最適な商品の提供と、商品の流通経路が販売区分又は販売者毎に明確され、商品流通の一元化が実現される。
【００１５】
さらに、商品を販売する販売者は、消費者の情報（販売区分毎の地域情報と市場情報）に応じて、販売区分毎に選択されるため、製造業者等が製造する商品が、複数の多様な店舗形態や販売形態により販売されるため、製造業者等の販売経路が拡大されるとともに、製造した商品の販売に係る負担（商品宣伝や販売市場の拡大戦略等）が軽減されるとともに、製造業者等が提供する商品が消費者に対して適切な店舗形態、販売形態により提供することができる。
【００１６】
また、請求項２では、人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、複数の前記販売区分から２つ以上の前記販売区分を抽出するとともに、抽出した前記販売区分を統合して新しい販売区分を作成する販売区分統合手段とを備える。
【００１７】
この手段では、上記請求項１と同様な作用を奏するとともに、商品動向や市場動向の変化、又は、販売戦略の再考等において、２つ以上の販売区分を抽出して新たな販売区分を作成することができる。したがって、販売区分の地域情報と市場情報とから商品動向や市場動向の変化に適合する販売区分の再構築や販売戦略の再考等が容易に行われる。よって、市場変動に適切な対応が可能となり、商品販売が円滑に行われる。
【００１８】
また、請求項３では、人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、前記商品を販売、宣伝するために前記販売者が展開する店舗や販売手段を備えた販売機器等のロケーション情報を記憶するロケーション情報記憶手段と、前記販売区分又は前記販売者毎に展開される前記商品に適合する前記ロケーション情報を選択するロケーション選択手段とを備える。
【００１９】
この手段では、請求項１の同様な作用を奏するとともに、商品を販売、宣伝するために販売者が展開する店舗や販売手段を備えた販売機器等のロケーション情報（販売場所、立地条件、設置場所、設置方向等）をロケーション情報記憶手段に記憶させて販売区分、販売者、商品毎にロケーション情報を選択するため、該販売区分や地域情報、市場情報、商品に適合する販売、宣伝を助成する。また、ロケーション情報の選択においては、例えば、人口の多い商業地域、駅周辺等によって商品の販売が大きく左右されるが、販売区分の地域情報、市場情報基づいて適切な販売者の選択の際に、ロケーション情報を考慮して販売者を選択するようにしてもよく、ロケーション情報の選択により、商品販売を円滑にさせるとともに、商品の販売戦略、展開等が拡大される。
【００２０】
また、請求項４では、人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、一方の前記販売区分で販売される前記商品を他方の前記販売区分で販売するように、販売期間等に基づいて前記商品を前記販売区分毎にローテーションさせる商品ローテーション情報を記憶する商品ローテーション記憶手段と、前記商品ローテーション情報を前記販売期間等に基づいて、前記販売区分又は前記販売者に送信する商品ローテーション手段とを備える。
【００２１】
この手段では、請求項１と同様の作用を奏するとともに、ある販売区分で販売される商品を販売期間等に基づいて他の販売区分で販売するローテーション販売が可能となり、流通が円滑化、商品体系（例えば、商品のバージョンアップ版の展開や死に筋商品から売れ筋商品への移行等）の確立と、商品の流通停滞が防止される。
【００２２】
また、請求項５では、人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、前記商品を販売、宣伝するために前記販売者が前記販売区分に展開する前記店舗形態や前記販売形態を、前記販売区分とは異なる他方の販売区分で展開するように前記店舗形態や前記販売形態を販売区分毎にローテーションさせる販売ローテーション情報を記憶する販売ローテーション記憶手段と、前記販売ローテーション情報を、前記販売区分又は前記販売者に送信する販売ローテーション手段とを備える。
【００２３】
この手段では、請求項１と同様な作用を奏するとともに、ある販売区分における店舗の店舗形態や販売形態を商品ローテーション情報や販売区分に合わせてローテーションさせることが可能となる。さらには、商品の販売戦略、市場動向等に応じた店舗形態、販売形態（販売手段等）の変更が図られる。
【００２４】
また、請求項６では、人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、一方の前記販売区分で販売される前記商品を他方の前記販売区分で販売するように、販売期間等に基づいて前記商品を前記販売区分毎にローテーションさせる商品ローテーション情報を記憶する商品ローテーション記憶手段と、一方の前記販売区分に展開される前記商品を販売、宣伝する店舗や販売手段を備える販売機器等の店舗形態や販売形態を、一方の前記販売区分とは異なる他方の前記販売区分で展開するように前記店舗形態や前記販売形態を販売区分毎にローテーションさせる販売ローテーション情報を記憶する販売ローテーション記憶手段と、前記商品ローテーション情報と前記販売ローテーション情報とを、前記販売区分に送信するローテーション手段とを備える。
【００２５】
この手段では、ある販売区分で販売される商品を販売期間等に基づいて他の販売区分で販売することが可能となり、流通が円滑化、商品体系（例えば、商品のバージョンアップ版の展開や死に筋商品から売れ筋商品への移行等）の確立と、商品の流通停滞が防止されるとともに、該販売区分における商品を販売する店舗の店舗形態や販売形態（販売手段等）を、他の販売区分へ又は、商品ローテーションに応じてローテーションさせることが可能となり、商品の販売戦略、市場動向等に応じた店舗形態、販売形態（販売手段等）の変更が図られる。
【００２６】
また、請求項７では、請求項１〜６いずれか記載の販売システムにおいて、前記販売区分毎に選択される前記販売者に対して、前記商品の代理販売や委託販売等の契約を締結するための契約締結情報を記憶する契約情報記憶手段と、前記地域情報、前記市場情報及び前記契約情報に基づいて、前記販売者の前記店舗形態や前記販売形態に適合する契約を締結するための契約締結手段とを備えることを特徴とする。
【００２７】
この手段では、商品を販売、宣伝する販売者に対して、代理販売契約や共同事業契約等の様々な契約を該販売区分毎に行うことが可能となるため、販売区分毎の地域情報、市場情報（市場動向、消費者ニーズ等）に対応した販売経路を確立させる。さらに、該販売者に対して、販売委託契約の契約締結も可能とさせる。
【００２８】
さらに、前述の課題を解決するため、次のような販売システムの情報処理手段にて動作する販売プログラムを採用する。
【００２９】
即ち、請求項８では、人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、前記商品の商品分野や販売価格帯、商品販売形態等を記憶する商品情報記憶手段と、前記販売区分に係る前記市場情報と、前記販売者の前記店舗形態や販売形態とに基づいて、前記販売者が販売可能な前記商品を選択する商品選択手段と、前記市場情報記憶手段と前記販売区分作成手段と前記販売区分記憶手段と前記販売者記憶手段と前記販売者選択手段と前記商品情報記憶手段と前記商品選択手段とを制御することが可能な情報処理手段とを備えた販売システムの情報処理手段にて動作する販売プログラムであって、前記情報処理手段に、前記市場情報記憶手段が、人口分布、年齢層、地理的条件等の地域情報と、前記地域情報に係る商品の販売動向、市場動向等の市場情報とを記憶する機能と、前記販売区分作成手段が、前記地域情報と前記市場情報とから商品の販売に適合する販売領域を抽出し、複数の販売区分を前記販売領域に基づいて作成する機能と、前記販売区分記憶手段が、前記販売区分に係る前記地域情報と前記市場情報とを、前記販売区分毎に記憶する機能と、前記販売者記憶手段が、前記販売区分に展開される商品の販売や宣伝を行う販売者を、前記販売者が備える店舗形態や販売形態とともに記憶する機能と、前記販売者選択手段が、前記販売区分に係る前記地域情報と前記市場情報とに適合する前記店舗形態や前記販売形態を備える前記販売者を選択する機能と、前記商品情報記憶手段が、前記商品の商品分野や販売価格帯、商品販売形態等を記憶する機能と、前記商品選択手段が、前記販売区分に係る前記市場情報と、前記販売者の前記店舗形態や販売形態とに基づいて、前記販売者が販売可能な前記商品を選択する機能とを実現させることを特徴とする。
【００３０】
この手段では、人口分布、年齢層、地理的条件等の地域情報と、該地域情報に係る商品の販売動向、市場動向等の市場情報とに基づいて、商品の販売に適合する販売領域を抽出し、抽出された販売領域から販売区分が作成される。さらに、作成された販売区分毎に商品を販売、宣伝する販売者が選択されるとともに、販売区分に係る市場情報と販売者の店舗形態や販売形態とに基づいて、販売者が販売可能な商品が選択される。
【００３１】
さらに、商品を販売する販売者が、消費者の情報（販売区分毎の地域情報と市場情報）に応じて販売区分毎に選択されるため、製造業者等が製造する商品が複数の多様な店舗形態や販売形態により販売されるため、製造業者等の販売経路が拡大されるとともに、製造した商品の販売に係る負担（商品宣伝や販売市場の拡大戦略等）が軽減されるとともに、製造業者等が提供する商品が消費者に対して適切な店舗形態、販売形態により提供することができる。
【００３２】
また、請求項９では、人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、複数の前記販売区分から２つ以上の前記販売区分を抽出するとともに、抽出した前記販売区分を統合して新しい販売区分を作成する販売区分統合手段と、前記市場情報記憶手段と前記販売区分作成手段と前記販売区分記憶手段と前記販売者記憶手段と前記販売者選択手段と前記販売区分統合手段とを制御することが可能な情報処理手段とを備えた販売システムの情報処理手段にて動作する販売プログラムであって、前記情報処理手段に、前記市場情報記憶手段が、人口分布、年齢層、地理的条件等の地域情報と、前記地域情報に係る商品の販売動向、市場動向等の市場情報とを記憶する機能と、前記販売区分作成手段が、前記地域情報と前記市場情報とから商品の販売に適合する販売領域を抽出し、複数の販売区分を前記販売領域に基づいて作成する機能と、前記販売区分記憶手段が、前記販売区分に係る前記地域情報と前記市場情報とを、前記販売区分毎に記憶する機能と、前記販売者記憶手段が、前記販売区分に展開される商品の販売や宣伝を行う販売者を、前記販売者が備える店舗形態や販売形態とともに記憶する機能と、前記販売者選択手段が、前記販売区分に係る前記地域情報と前記市場情報とに適合する前記店舗形態や前記販売形態を備える前記販売者を選択する機能と、前記販売区分統合手段が、複数の前記販売区分から２つ以上の前記販売区分を抽出するとともに、抽出した前記販売区分を統合して新しい販売区分を作成する機能とを実現させることを特徴とする。
【００３３】
この手段では、上記請求項８と同様な作用を奏するとともに、商品動向や市場動向の変化、又は、販売戦略の再考等において、２つ以上の販売区分を抽出して新たな販売区分が作成される。したがって、販売区分の地域情報と市場情報とから商品動向や市場動向の変化に適合する販売区分の再構築や販売戦略の再考等が容易に行われる。
【００３４】
また、請求項１０では、人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、前記商品を販売、宣伝するために前記販売者が展開する店舗や販売手段を備えた販売機器等のロケーション情報を記憶するロケーション情報記憶手段と、前記販売区分又は前記販売者毎に展開される前記商品に適合する前記ロケーション情報を選択するロケーション選択手段と、前記市場情報記憶手段と前記販売区分作成手段と前記販売区分記憶手段と前記販売者記憶手段と前記販売者選択手段と前記ロケーション情報記憶手段と前記ロケーション選択手段とを制御することが可能な情報処理手段とを備えた販売システムの情報処理手段にて動作する販売プログラムであって、前記情報処理手段に、前記市場情報記憶手段が、人口分布、年齢層、地理的条件等の地域情報と、前記地域情報に係る商品の販売動向、市場動向等の市場情報とを記憶する機能と、前記販売区分作成手段が、前記地域情報と前記市場情報とから商品の販売に適合する販売領域を抽出し、複数の販売区分を前記販売領域に基づいて作成する機能と、前記販売区分記憶手段が、前記販売区分に係る前記地域情報と前記市場情報とを、前記販売区分毎に記憶する機能と、前記販売者記憶手段が、前記販売区分に展開される商品の販売や宣伝を行う販売者を、前記販売者が備える店舗形態や販売形態とともに記憶する機能と、前記販売者選択手段が、前記販売区分に係る前記地域情報と前記市場情報とに適合する前記店舗形態や前記販売形態を備える前記販売者を選択する機能と、前記ロケーション情報記憶手段が、前記商品を販売、宣伝するために前記販売者が展開する店舗や販売手段を備えた販売機器等のロケーション情報を記憶する機能と、前記ロケーション選択手段が、前記販売区分又は前記販売者毎に展開される前記商品に適合する前記ロケーション情報を選択する機能とを実現させることを特徴とする。
【００３５】
この手段では、請求項８の同様な作用を奏するとともに、商品を販売、宣伝するために販売者が展開する店舗や販売手段を備えた販売機器等のロケーション情報（販売場所、立地条件、設置場所、設置方向等）がロケーション情報記憶手段に記憶され、販売区分又は販売者毎にロケーション情報が選択されるため、該販売区分や地域情報、市場情報、商品に適合する販売、宣伝を助成する。
【００３６】
また、請求項１１では、人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、一方の前記販売区分で販売される前記商品を他方の前記販売区分で販売するように、販売期間等に基づいて前記商品を前記販売区分毎にローテーションさせる商品ローテーション情報を記憶する商品ローテーション記憶手段と、前記商品ローテーション情報を前記販売期間等に基づいて、前記販売区分又は前記販売者に送信する商品ローテーション手段と、前記市場情報記憶手段と前記販売区分作成手段と前記販売区分記憶手段と前記販売者記憶手段と前記販売者選択手段と前記商品ローテーション記憶手段と前記商品ローテーション手段とを制御することが可能な情報処理手段とを備えた販売システムの情報処理手段にて動作する販売プログラムであって、前記情報処理手段に、前記市場情報記憶手段が、人口分布、年齢層、地理的条件等の地域情報と、前記地域情報に係る商品の販売動向、市場動向等の市場情報とを記憶する機能と、前記販売区分作成手段が、前記地域情報と前記市場情報とから商品の販売に適合する販売領域を抽出し、複数の販売区分を前記販売領域に基づいて作成する機能と、前記販売区分記憶手段が、前記販売区分に係る前記地域情報と前記市場情報とを、前記販売区分毎に記憶する機能と、前記販売者記憶手段が、前記販売区分に展開される商品の販売や宣伝を行う販売者を、前記販売者が備える店舗形態や販売形態とともに記憶する機能と、前記販売者選択手段が、前記販売区分に係る前記地域情報と前記市場情報とに適合する前記店舗形態や前記販売形態を備える前記販売者を選択する機能と、前記商品ローテーション記憶手段が、一方の前記販売区分で販売される前記商品を他方の前記販売区分で販売するように、販売期間等に基づいて前記商品を前記販売区分毎にローテーションさせる商品ローテーション情報を記憶する機能と、前記商品ローテーション手段が、前記商品ローテーション情報を前記販売期間等に基づいて、前記販売区分又は前記販売者に送信する機能とを実現させることを特徴とする。
【００３７】
この手段では、請求項８と同様の作用を奏するとともに、ある販売区分で販売される商品を販売期間等に基づいて他の販売区分で販売するローテーション販売が可能となり、流通が円滑化、商品体系（例えば、商品のバージョンアップ版の展開や死に筋商品から売れ筋商品への移行等）の確立と、商品の流通停滞が防止される。
【００３８】
また、請求項１２では、人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、前記販売区分に展開される商品の販売や宣伝を行う販売者を、前記販売者が備える店舗形態や販売形態とともに記憶する販売者記憶手段と、前記販売区分に係る前記地域情報と前記市場情報とに適合する前記店舗形態や前記販売形態を備える前記販売者を選択する販売者選択手段と、前記商品を販売、宣伝するために前記販売者が前記販売区分に展開する前記店舗形態や前記販売形態を、前記販売区分とは異なる他方の販売区分で展開するように前記店舗形態や前記販売形態を販売区分毎にローテーションさせる販売ローテーション情報を記憶する販売ローテーション記憶手段と、前記販売ローテーション情報を、前記販売区分又は前記販売者に送信する販売ローテーション手段と、前記市場情報記憶手段と前記販売区分作成手段と前記販売区分記憶手段と前記販売者記憶手段と前記販売者選択手段と前記販売ローテーション記憶手段と前記販売ローテーション手段とを制御することが可能な情報処理手段とを備えた販売システムの情報処理手段にて動作する販売プログラムであって、前記情報処理手段に、前記市場情報記憶手段が、人口分布、年齢層、地理的条件等の地域情報と、前記地域情報に係る商品の販売動向、市場動向等の市場情報とを記憶する機能と、前記販売区分作成手段が、前記地域情報と前記市場情報とから商品の販売に適合する販売領域を抽出し、複数の販売区分を前記販売領域に基づいて作成する機能と、前記販売区分記憶手段が、前記販売区分に係る前記地域情報と前記市場情報とを、前記販売区分毎に記憶する機能と、前記販売者記憶手段が、前記販売区分に展開される商品の販売や宣伝を行う販売者を、前記販売者が備える店舗形態や販売形態とともに記憶する機能と、前記販売者選択手段が、前記販売区分に係る前記地域情報と前記市場情報とに適合する前記店舗形態や前記販売形態を備える前記販売者を選択する機能と、前記販売ローテーション記憶手段が、前記商品を販売、宣伝するために前記販売者が前記販売区分に展開する前記店舗形態や前記販売形態を、前記販売区分とは異なる他方の販売区分で展開するように前記店舗形態や前記販売形態を販売区分毎にローテーションさせる販売ローテーション情報を記憶する機能と、前記販売ローテーション手段が、前記販売ローテーション情報を、前記販売区分又は前記販売者に送信する機能とを実現させることを特徴とする。
【００３９】
この手段では、請求項８と同様な作用を奏するとともに、ある販売区分における店舗の店舗形態や販売形態を商品ローテーション情報や販売区分に合わせてローテーションさせることが可能となる。さらには、商品の販売戦略、市場動向等に応じた店舗形態、販売形態（販売手段等）の変更が図られる。
【００４０】
また、請求項１３では、人口分布、年齢層、地理的条件等の地域情報と、前記地域情報に係る商品の販売動向、市場動向等の市場情報とを記憶する市場情報記憶手段と、前記地域情報と前記市場情報とから商品の販売に適合する販売領域を抽出し、複数の販売区分を前記販売領域に基づいて作成する販売区分作成手段と、前記販売区分に係る前記地域情報と前記市場情報とを、前記販売区分毎に記憶する販売区分記憶手段と、一方の前記販売区分で販売される前記商品を他方の前記販売区分で販売するように、販売期間等に基づいて前記商品を前記販売区分毎にローテーションさせる商品ローテーション情報を記憶する商品ローテーション記憶手段と、一方の前記販売区分に展開される前記商品を販売、宣伝する店舗や販売手段を備える販売機器等の店舗形態や販売形態を、一方の前記販売区分とは異なる他方の前記販売区分で展開するように前記店舗形態や前記販売形態を販売区分毎にローテーションさせる販売ローテーション情報を記憶する販売ローテーション記憶手段と、前記商品ローテーション情報と前記販売ローテーション情報とを、前記販売区分に送信するローテーション手段と、前記市場情報記憶手段と前記販売区分作成手段と前記販売区分記憶手段と前記商品ローテーション記憶手段と前記販売ローテーション記憶手段と前記ローテーション手段とを制御することが可能な情報処理手段とを備えた販売システムの情報処理手段にて動作する販売プログラムであって、前記情報処理手段に、前記市場情報記憶手段が、人口分布、年齢層、地理的条件等の地域情報と、前記地域情報に係る商品の販売動向、市場動向等の市場情報とを記憶する機能と、前記販売区分作成手段が、前記地域情報と前記市場情報とから商品の販売に適合する販売領域を抽出し、複数の販売区分を前記販売領域に基づいて作成する機能と、前記販売区分記憶手段が、前記販売区分に係る前記地域情報と前記市場情報とを、前記販売区分毎に記憶する機能と、前記商品ローテーション記憶手段が、一方の前記販売区分で販売される前記商品を他方の前記販売区分で販売するように、販売期間等に基づいて前記商品を前記販売区分毎にローテーションさせる商品ローテーション情報を記憶する機能と、前記販売ローテーション記憶手段が、一方の前記販売区分に展開される前記商品を販売、宣伝する店舗や販売手段を備える販売機器等の店舗形態や販売形態を、一方の前記販売区分とは異なる他方の前記販売区分で展開するように前記店舗形態や前記販売形態を販売区分毎にローテーションさせる販売ローテーション情報を記憶する機能と、前記ローテーション手段が、前記商品ローテーション情報と前記販売ローテーション情報とを、前記販売区分に送信する機能とを実現させることを特徴とする。
【００４１】
この手段では、ある販売区分で販売される商品を販売期間等に基づいて他の販売区分で販売することが可能となり、流通が円滑化、商品体系（例えば、商品のバージョンアップ版の展開や死に筋商品から売れ筋商品への移行等）の確立と、商品の流通停滞が防止されるとともに、該販売区分における商品を販売する店舗の店舗形態や販売形態（販売手段等）を、他の販売区分へ又は、商品ローテーションに応じてローテーションさせることが可能となり、商品の販売戦略、市場動向等に応じた店舗形態、販売形態（販売手段等）の変更が図られる。
【００４２】
また、請求項１４では、請求項８〜１３いずれか記載の販売プログラムにおいて、前記販売システムは、前記販売区分毎に選択される前記販売者に対して、前記商品の代理販売や委託販売等の契約を締結するための契約締結情報を記憶する契約情報記憶手段と、前記地域情報、前記市場情報及び前記契約情報に基づいて、前記販売者の前記店舗形態や前記販売形態に適合する契約を締結するための契約締結手段とを備え、前記情報処理手段に、前記契約情報記憶手段が、前記販売区分毎に選択される前記販売者に対して、前記商品の代理販売や委託販売等の契約を締結するための契約締結情報を記憶する機能と、前記契約締結手段が、前記地域情報、前記市場情報及び前記契約情報に基づいて、前記販売者の前記店舗形態や前記販売形態に適合する契約を締結する機能とを実現させることを特徴とする。
【００４３】
この手段では、商品を販売、宣伝する販売者に対して、代理販売契約や共同事業契約等の様々な契約が該販売区分毎に行われるので、販売区分毎の地域情報、市場情報（市場動向、消費者ニーズ等）に対応した販売経路が確立される。さらに、該販売者に対して、販売委託契約の契約締結も可能とされる。
【００４４】
【発明の実施の形態】以下、本発明に係る販売システム、販売プログラム及び販売方法の実施の形態を図面に基づいて説明する。
【００４５】
図１〜図１７は、本発明に係る販売システム、販売プログラム及び販売方法の実施の形態（１）を示すものである。
【００４６】
実施の形態（１）の販売システム１００は、人口分布、年齢層、地理的条件等の地域情報と、前記地域情報に係る商品の販売動向、市場動向等の市場情報とを記憶する市場情報記憶手段２００と、地域情報と市場情報とから商品の販売に適合する販売領域を抽出し、複数の販売区分を販売領域に基づいて作成する販売区分作成手段１０と、販売区分に係る地域情報と市場情報とを販売区分毎に記憶する販売区分記憶手段２０１と、販売区分に展開される商品の販売や宣伝を行う販売者を販売者が備える店舗形態や販売形態とともに記憶する販売者記憶手段２０２と、販売区分に係る地域情報と市場情報とに適合する店舗形態や販売形態を備える販売者を選択する販売者選択手段２０と、商品の商品分野や販売価格帯、商品販売形態等を記憶する商品情報記憶手段２０３と、販売区分に係る市場情報と、販売者の店舗形態や販売形態とに基づいて、販売者が販売可能な商品を選択する商品選択手段３０とで構成される。
【００４７】
さらに、販売システム１００には、複数の販売区分から２つ以上の販売区分を抽出するとともに、抽出した販売区分を統合して新しい販売区分を作成する販売区分統合手段４０と、２つ以上の区分を統合して新しい区分を作成するための販売区分統合情報を記憶する販売区分統合記憶手段２０４と、商品を販売、宣伝するために販売者が展開する店舗や販売手段を備えた販売機器等のロケーション情報を記憶するロケーション情報記憶手段２０５と、販売区分又は販売者毎に展開される商品に適合するロケーション情報を選択するロケーション選択手段５０と、販売区分毎に選択される販売者に対して、商品の代理販売や委託販売等の契約を締結するための契約締結情報を記憶する契約情報記憶手段２０８と、地域情報、市場情報及び契約情報に基づいて、販売者の店舗形態や販売形態に適合する契約を締結するための契約締結手段８０とが備えられる。
【００４８】
また、販売区分毎の商品の売上や商品総売上、売上数等の商品売上を管理する商品売上管理手段９９と、商品売上管理手段９９により管理される商品売上等を記憶するための商品売上情報記憶手段２９９とが備えられる構成となっている。これら商品売上管理手段９９、商品売上情報記憶手段２９９は、従来の商品管理、販売管理等で用いられる管理手段の一般的な方法である。
【００４９】
ここで、商品とは、例えば、食品、衣料品、日用品、映像、画像（宣伝広告を含む）等の電子情報、その他市場に展開される無数の商品群と、商品群を販売するために必要とされる販売手段を備えた販売機器である自動販売機や冷蔵庫、ショーケース、陳列棚等の販売機器群と、商品群及び販売機器群に付属する通信関係、ＩＴ関係の周辺機器群とを含むものである。また、商品と商品を販売する販売手段を備えた販売機器とをパッケージ化して、パッケージ商品として提供する形態も含む。
【００５０】
また、図２において、本発明に係る販売区分作成手段１０、販売者選択手段２０、商品選択手段３０、販売区分統合手段４０、ロケーション選択手段５０、契約締結手段８０の機能を含む販売システム１００の信号処理系装置３００を説明する。
【００５１】
信号処理系装置３００の情報送受信部には、公衆回線又は通信ネットワーク等の通信網３６４を介して他の通信機器と情報の送受信を行うための送受信手段３６５（市場調査、商品を販売する販売者、販売者が展開する店舗情報や販売形態、商品、契約、委託等の情報を取得し、出力する出力手段等の機能を含む）が設けられている。
【００５２】
また、利用者が入力手段３７０を介して入力した各種情報を読み取って後述する情報処理手段に伝達したり、情報処理手段からの指示に基づいてＬＥＤ等に表示指令を出力する入力インターフェース３７１と、画像や文字等の情報を表示する表示手段３７２と、情報処理手段の指令に基づいて表示手段３７２に対して表示用の画像信号を出力する表示インターフェース３７３（出力機能を含む）とが設けられている。なお、入力手段３７０は、キーボードやマウス、タブレット等の入力装置を含むものである。
【００５３】
また、信号処理系装置３００には、記憶媒体３７７を着脱可能に装着する記憶媒体装着部３７８と、記憶媒体３７７に対して各種情報を記憶したり読み出したりする記憶媒体インターフェース３７９とが設けられている。なお、記憶媒体３７７は、メモリーカード等の半導体や、ＭＯ、磁気ディスク等に代表される磁気記憶式、光記憶式等の着脱可能な記憶媒体である。
【００５４】
さらに、信号処理系装置３００の全体の制御を行う情報処理手段３８０と、情報処理手段３８０にて実行されるプログラムや各種定数が記憶されているＲＯＭや情報処理手段３８０が処理を実行する際の作業領域となる記憶手段であるＲＡＭとから構成されるメモリ３８１とが設けられている。
【００５５】
また、情報処理手段３８０は、販売区分作成手段１０、販売者選択手段２０、商品選択手段３０、販売区分統合手段４０、ロケーション選択手段５０、契約締結手段８０の諸機能を実現することが可能となっている。なお、これらの全ての処理を情報処理手段３８０が実行する代わりに、複数の処理装置に分担して実行するようにしても本発明の目的を達成することが可能である。
【００５６】
また、信号処理系装置３００の処理に関する各種定数やネットワーク上の通信機器に通信接続する際の属性情報、ＵＲＬ（Ｕｎｉｆｏｒｍ  Ｒｅｓｏｕｒｃｅ  Ｌｏｃａｔｏｒｓ）、ゲートウェイ情報、ＤＮＳ（Ｄｏｍａｉｎ  Ｎａｍｅ  Ｓｙｓｔｅｍ）等の接続情報、企業の経営に関する情報、特許に関する情報等の各種情報を記憶するハードディスク等の記憶手段３８４と、記憶手段３８４に記憶されている情報を読み出したり記憶手段３８４に対して情報を書き込む処理を行う記憶手段インターフェース３８５）と、時刻を刻むカレンダ時計３９０とが設けられている。
【００５７】
信号処理系装置３００内の情報処理手段３８０と、表示インターフェース３７３、メモリ３８１、記憶手段インターフェース３８５、カレンダ時計３９０等を含む各周辺回路はバス３９９で接続されており、情報処理手段３８０にて実行される処理プログラムに基づいて各々の周辺回路を制御することが可能となっている。
【００５８】
また、市場情報記憶手段２００、販売区分記憶手段２０１、販売者記憶手段２０２、商品情報記憶手段２０３、販売区分統合記憶手段２０４、ロケーション情報記憶手段２０５、契約情報記憶手段２０８は、記憶手段３８４に記憶されている場合や、ＣＤ−ＲＯＭ、ＣＤ−ＲＷ、ＤＶＤ、ＭＯ等の記憶媒体３７７で提供される場合、通信網３６４を介して他の通信機器から取得する場合も考えられる。
【００５９】
また、上記の信号処理系装置３００は、パーソナルコンピュータ、ワークステーションなど様々なコンピュータを利用して実現することができる。さらに、コンピュータをネットワークで接続して機能を分散して実施するようにしても良い。
【００６０】
販売区分作成手段１０は、図５に示すように、市場情報記憶手段２００から地域情報と市場情報とを取得するとともに、商品の販売に適合する販売領域を抽出し、抽出した販売領域に基づいて複数の販売区分を作成する。さらに、作成される販売区分を該販売区分に係る地域情報と市場情報とともに販売区分記憶手段２０１に記憶させる。ここで、地域情報は、人口分布、年齢層、地理的条件等であり、性別や年齢別の行動範囲、交通機関（交通網、商業地への交通アクセス手段等）や地域自治体の風土、風習、気候等の情報が含まれる。また、市場情報は、地域情報に係る商品の販売動向、市場動向であり、人口分布、性別、年齢、地理条件等に基づく統計や、商品等の売上等の販売実績などが含まれ、外部のマーケティング調査会社の調査結果や行政が発行する白書等であってもよい。
【００６１】
例えば、図６に示すように、市場情報記憶手段２００は、市場情報提供機関や外部のマーケティング調査会社等から送信される市場情報を受信して、市場ニーズＡを記憶する。市場ニーズＡには、市場領域（関東〜北陸）と、市場ニーズＡに供給されている商品ａ、ｂ、ｃ、・・・・・と、該商品ａ、ｂ、ｃ、・・・・が販売されている市場領域内の詳細な地域が含まれている。さらに、行政機関や統計調査会社等から地域情報を受信して随時記憶する。地域情報には、市場ニーズＡの市場領域や商品販売地域等の人口に関する情報（人口、年齢別人口分布）と、地理的条件（交通機関、気候、風習等）とが含まれ、具体的な地域情報としては、日本全国の人口分布（「東京」約１０００万人、「神奈川」約８００万人等）や年齢層と人口の割合、例えば、「東京」という地域において、年齢０歳〜１２歳までの人口が○○万人という情報が含まれる。
【００６２】
販売区分作成手段１０は、市場情報記憶手段２００から市場ニーズＡ、Ｂ、Ｃ、・・・・等の市場情報と、年齢層別の人口分布が記憶される地域情報とを取得する。そして、市場ニーズＡ、Ｂ、Ｃ、・・・に対する市場領域と地域情報の人口分布とから、人口分布における人口が多い地域を中心に、交通機関や気候等とを考慮して販売領域を抽出する。例えば、予め、人口が１０００万人以上の地域を中心に販売領域を抽出するようにプログラムしておき、さらには、該地域に対して、地域情報である地理的条件を活用する。地理的条件としては、車や電車等の交通機関で数時間以内に該地域に到達できる近隣地域を設定する。例えば、１０００万人以上の人口を有する地域として「東京」が選択された場合、「東京」まで２時間以内に到達できる「神奈川」、「千葉」、「さいたま」、・・・等の地域を抽出することで、「東京」と「神奈川」、「千葉」、「さいたま」とを含めた販売領域ａを抽出する。そして、この抽出された販売領域ａを有する販売区分を販売区分Ａ（関東）として作成する。
【００６３】
さらに、販売区分作成手段１０は、上記方法で抽出された地域、「東京」、「神奈川」、「千葉」、「さいたま」、・・・等を販売領域ａに属する販売領域ａ１、ａ２、ａ３、ａ４として抽出し、販売区分Ａ１（東京）、Ａ２（神奈川）、Ａ３（千葉）、Ａ４（さいたま）、・・を作成する。これらの販売区分Ａ１、Ａ２、Ａ３、Ａ４、・・・は、販売区分Ａに属するように階層的に関係付けられている。
【００６４】
さらに、販売区分作成手段１０は、年齢別人口分布を販売領域として販売区分を作成する。例えば、年齢層０〜１２歳の人口分布が１０万人以下である販売領域を販売区分ＡＡ１１、年齢層１３〜１５歳の人口分布が５万人〜１０万人である販売領域を販売区分ＡＡ１２、年齢層１６〜１８歳の人口分布が１０万人〜１５万人である販売領域を販売区分ＡＡ１３、・・・・のように販売区分を作成する。さらには、作成した販売区分ＡＡ１１、ＡＡ１２、ＡＡ１３、・・・に対し、販売区分Ａに属する地域の自治体（地域が「東京」であれば、港区、千代田区、中央区、八王子市等）を販売区分ＡＡ１１に対して選択（当てはめる）する。
【００６５】
したがって、販売区分作成手段１０が、図７に示すような階層的な販売区分を構築するとともに、作成した販売区分と、販売区分に係る市場情報と地域情報とを販売区分記憶手段２０１に記憶する。販売区分に係る市場情報とは、販売領域の抽出の際に用いた市場ニーズに係る商品や、該商品の販売地域の情報であり、販売区分に係る地域情報とは、人口、年齢層別の人口分布、交通機関、気候、自治体等の情報である。
【００６６】
なお、上記年齢別人口分布による販売区分の作成においては、例えば、年齢層０〜１２歳の人口分布が１０万人以下である地域が、Ｄ区、Ｅ区、Ｆ区である場合、販売区分ＡＡ１１に属するようにＤ区、Ｅ区、Ｆ区を当てはめるようにしても良いが、Ｅ区の人口分布が極めて低い場合（人口３万人以下等）は、販売区分ＡＡ１１の下位階層として新たに販売区分ＡＡ１１１を作成し、販売区分ＡＡ１１１にＥ区が属するように構築しても良い。
【００６７】
また、販売区分の作成に際し、販売領域の抽出に地域情報を利用しているため、一度に階層的な販売区分を作成することが可能であるが、販売区分を作成後に再度、地域情報等を活用して階層的に関係付ける処理を行うことも可能である。
【００６８】
販売者記憶手段２０２は、商品販売、商品の宣伝、広告等を行う販売者に係る情報、例えば、販売者が備える店舗形態（コンビニエンスストア、量販店、百貨店等）と、商品を販売する販売機器等の販売形態（自動販売機を用いた販売、対面販売や商品の展示、陳列（ショーケースや展示棚など）等）と、販売者が取扱い可能な商品と、販売者の業種（健康食料販売、健康器具販売等）とを、企業リサーチ会社等から受信して記憶する。また、販売者に係る情報は、販売者自身がインターネット等を利用して、上記内容を販売者記憶手段２０２が受信するようにしてもよい。
【００６９】
販売者選択手段２０は、販売区分記憶手段２０２に記憶されている複数の販売区分に対し、販売者を選択する機能を備える。例えば、図９に示すように、販売区分記憶手段２０１に記憶されている販売区分Ａに係る市場情報から、販売区分Ａで取扱う商品を「サプリメント」商品、販売区分Ａに係る地域情報から、「サプリメント」商品を販売する販売形態を「自動販売機」とした場合、販売者選択手段２０は、「サプリメント」をキーワードとして、販売者記憶手段２０２から「サプリメント」商品を取扱うことが可能な販売者を選択する。ここでは、健康食品販売、飲料水販売を行うことができる販売者Ａと販売者Ｅとを選択する。さらに、販売形態の「自動販売機」をキーワードとして販売者記憶手段２０２を参照し、「自動販売機」を販売形態として備えているかをチェックする。ここでは、販売形態に「自動販売機」を備える販売者はＥとなるので、最終的に販売者Ｅが選択される。なお、販売者に関する情報を活用して販売者を評価して、予め優良販売者等の選出（評価定義によるランク付け）等を行ってもよい。
【００７０】
商品情報記憶手段２０３は、予め商品の調達先となる製造業者等から商品と、商品に係る商品分野、販売価格帯、商品販売形態、広告情報等の商品情報を記憶する。例えば、図１１に示すように、商品１について、販売価格が「２００〜５００円」、商品分野が「サプリメント」、販売形態が「自動販売機」、商品１に係る広告情報が「ＣＭ、ポスター」等を記憶する。これら商品情報は、調達先となる製造業者等から随時受信し、商品情報記憶手段２０３が記憶するようにすることが望ましい。
【００７１】
商品選択手段３０は、販売区分記憶手段２０１に記憶されている販売区分に対して商品を選択する機能を備える。例えば、具体的には、図１１に示すように、商品選択手段３０が販売区分記憶手段２０１から販売区分Ａに係る市場情報を取得する。そして、販売者選択手段２０と同様に、販売区分Ａで取扱う商品を「サプリメント」商品、販売区分Ａに係る地域情報から該商品を販売する販売形態を「自動販売機」とした場合、商品選択手段３０が商品情報記憶手段２０３から販売可能な商品、「商品２」、「商品６」を選択する。さらに、販売形態「自動販売機」で絞込みを行い、最終的に「商品６」を選択する。また、その他の商品選択方法としては、販売区分Ａの地域情報と市場情報とから、販売区分Ａで最も売れている商品の平均価格を予め算出しておき、商品情報記憶手段２０３から商品の販売価格（帯）を抽出することで商品選択が可能となる。例えば、販売区分Ａでの平均商品価格が１００〜２００円と算出された場合、「商品６」の販売価格（帯）が「６０〜２５０円」であるので、商品選択手段３０が適正と判断し、「商品６」を選択する。なお、この販売価格（帯）による商品選択方法と、上記の商品選択方法とを組み合わせて行うことも可能である。
【００７２】
販売区分統合手段４０は、商品売上情報記憶手段２９９から販売区分、販売者、商品毎の商品売上を取得して、販売区分、販売者、商品毎の商品売上を順位付けし、さらに、販売区分記憶手段２０１から販売区分を取得して、販売区分の地域情報（例えば、人口分布、地理的条件等）から統合可能な販売区分を販売区分統合記憶手段２０４に記憶する。そして、例えば、売上が低い販売区分と、統合可能な販売区分とを取得して、１つの新しい販売区分を作成し、販売区分記憶手段２０１に記憶、更新する。
【００７３】
図１３に示すように、販売区分統合手段４０は、例えば、商品売上情報記憶記憶手段２９９から販売区分、販売者、商品毎の商品売上を取得し、商品売上のワースト順位を作成する。さらに、複数の販売区分を販売区分統合にあたり、各々の販売区分に係る市場情報、地域情報が全く異なる場合は、販売区分を統合しても統合による販売効果を得られない場合があるので、統合可能な販売区分を予め抽出して販売区分統合記憶手段２０４に記憶する。例えば、地域情報において、年齢層０〜１２歳の人口が１０〜２０万人であるといった共通な販売区分の属性が存在する場合、商品販売の方向性や戦略に大きな隔たりが生じないと判断し、統合可能な販売区分として販売区分統合記憶手段２０４に記憶するようにしてもよい。したがって、例えば、商品売上のワースト順位の上位の販売区分から、販売区分Ａ１１と販売区分ＡＡ１７を抽出するとともに、統合可能な販売区分であるかをチェックし、統合可能であれば新しい販売区分ＡＡ１１１を作成して販売区分記憶手段２０１に記憶、更新する。
【００７４】
ロケーション選択手段５０は、市場情報記憶手段２００から商品、店舗のロケーションに関する情報を取得し、商品情報記憶手段２０３から販売形態を取得して、商品、店舗の最適なロケーション情報を抽出して、該ロケーション情報をロケーション情報記憶手段２０５に記憶する。さらには、商品と、販売者が展開する店舗等の形態や販売手段を備えた販売機器とに対してロケーション情報を選択する。
【００７５】
例えば、市場情報記憶手段２００から商品ａの売上の高い店舗や自動販売機の設置場所、店舗においては商品の陳列、配置、商品陳列棚の配置等のロケーション情報を抽出する。商品ａの売上の高い店舗の商品陳列方法を「商品陳列Ａ」、商品配置方法を「商品配置Ａ」としてロケーション情報記憶手段２０５に記憶し、自動販売機等の販売手段を備えた販売機器等に関しても、交差点付近での設置場所の売上が高い場合、自動販売機の「設置場所Ａ」としてロケーション情報記憶手段２０５に記憶する。さらには、売上の高い店舗の出店場所に関してもロケーション情報を作成する。売上が高い店舗出店場所から人通りの多い駅前を「出店場所Ａ」としてロケーション情報記憶手段２０５に記憶する。このロケーション情報は、外部のマーケティング調査会社等から直接の取得してロケーション情報記憶手段２０５に記憶してもよい。
【００７６】
そして、ロケーション選択手段５０が商品と、販売者が展開する店舗形態や販売手段を備えた販売機器（販売形態）とに対してロケーション情報を選択する。例えば、販売区分Ａに選択されている販売者Ａが商品ａを販売する場合、商品ａをキーワードに、ロケーション選択手段５０がロケーション情報記憶手段２０５から、該当するロケーション情報Ａを抽出して、販売者Ａにロケーション情報を配信する。また、新商品の店舗展開等の場合、新商品に類似する商品に係るロケーション情報をロケーション情報記憶手段２０５から取得して、販売区分に対して販売者を選択する前に、新商品のロケーション情報をロケーション選択手段により取得することで、該ロケーション情報に適合する「出店場所」や「商品陳列」を備える販売者を選択可能となる。
【００７７】
契約締結手段８０は、各々の販売区分に適合する販売者の販売形態を販売区分記憶手段２０１から抽出する。さらに、抽出した販売形態をキーワードに販売者記憶手段２０２を参照して、該当する販売者を抽出し、販売者記憶手段２０２に記憶する。そして、販売区分に適合する販売者との代理販売契約を締結するか否かを、契約条件や契約しようとする販売者の企業体制等から判断する。例えば、新しく作成された販売区分Ｘにおいて、最適な販売形態が「自動販売機」である場合、「自動販売機」を販売形態に有する販売者を抽出し、抽出した販売者との間で代理販売契約を締結するか否かを判断して締結する。
【００７８】
また、契約締結手段８０には、販売委託手段８５が備えられ、販売区分に適合する販売者との販売委託契約を締結するか否かを、契約条件や委託しようとする販売者の企業体制等から判断する。
【００７９】
次に、図３〜図１７において、販売システム１００の処理フローを説明する。
【００８０】
まず、市場情報記憶手段２００が、市場のマーケティング調査等から商品の市場動向等の市場情報を随時取得して記憶するとともに、人口分布、年齢層、地理的条件等の地域情報を随時取得して記憶する（Ｓ１）。続いて、販売区分を作成する。まず、販売区分作成手段１０が上述のように地域情報、市場情報に基づいて抽出される販売領域から販売区分を作成し、販売区分記憶手段２０１に販売区分と、販売区分に係る地域情報、市場情報とを記憶する（Ｓ２、Ｓ３、Ｓ２１、Ｓ２２）。さらに、一度記憶した販売区分を販売区分記憶手段２０１から取得し、販売区分の関係（階層的な関係）を再構築して、販売区分記憶手段２０１に記憶する（Ｓ２３）。
【００８１】
さらに、販売者記憶手段２０２は、商品を販売、宣伝する販売者に関する情報（業種、店舗形態、販売形態、取扱商品等）は、地域情報や市場情報と同様に、随時取得して記憶する。また、商品情報も同様に、商品情報記憶手段２０３が随時商品情報を記憶する。
【００８２】
次に、販売区分記憶手段２０１から販売区分と販売区分に係る地域情報、市場情報を、販売者記憶手段２０２から販売者の店舗形態、販売形態を取得し（Ｓ５）、販売区分毎に販売者を選択する（Ｓ６）。そして、商品選択手段３０により販売区分に係る市場情報と販売者の店舗形態や販売形態に基づいて販売者が販売可能な商品を選択する。例えば、販売者の業種が健康食品販売である場合、健康食品に関係する商品（サプリメントや滋養強壮飲料、スポーツドリンク等）情報を商品選択手段３０が商品情報記憶手段２０３から取得し、選択する（Ｓ８）。さらに、販売区分に関する市場情報を販売区分記憶手段２０１から取得して、例えば、該販売区分の商品動向から具体的な商品を選定することもできる。続いて、ロケーション選択手段５０が、選択された商品に対する最適なロケーション情報を選択する（Ｓ１０）。このロケーション選択手段５０は、商品のロケーション情報に販売者の店舗形態、販売形態等が適合するか否かを判断して、販売者の店舗形態、販売形態等に即した商品のロケーション情報を選択する。また、販売者の店舗形態、販売形態等が商品のロケーション情報とマッチングしない場合は、商品のロケーション情報を優先させた販売者の選択を行うように、商品のロケーション情報に適合する販売者を再選択することもできる。また、販売区分毎に販売者を選択する前に、販売区分統合手段４０による販売区分の統合を行い、販売区分を抽出して販売区分ごとの販売者の選択が行われる処理とすることもできる。
【００８３】
そして、販売区分統合手段４０が販売区分統合記憶手段２０４から統合すべき販売区分に関する情報を取得して、統合すべき販売区分が存在する場合には、該販売区分の統合を行う（Ｓ１１）。その後は、終了処理へと移行される（Ｓ１２）。
【００８４】
このように構成、処理される販売システム１００は、図７に示すように、地域情報、市場情報に基づいて作成（定義も含む）される販売区分毎に、該販売区分で商品の販売、宣伝を行う販売者と、該販売区分、該販売者に適合する商品とを選択する。したがって、例えば、販売区分Ａは、販売者Ａが商品ａを販売、宣伝すると選択されると、販売区分Ａに属する下位階層の販売区分においても、商品ａを販売する。逆に、下位階層の販売区分ＮＢ１の販売者と販売する商品を上記のシステムによって選択することで、他の販売区分とは独立した商品の販売、宣伝等が可能となる。
【００８５】
次に、販売者選択手段２０に係る処理フローについて詳細に説明する。
【００８６】
上述のように、販売者記憶手段２０２が販売者に関する、業態、店舗形態、販売形態等の販売者情報を随時取得して記憶する（Ｓ３１）。販売者選択手段２０は、販売区分記憶手段２０１から販売区分を取得するが（Ｓ３２）、取得した販売区分に対して既に販売者が選択されている場合は、該販売区分に対してもう一度販売者を再選択するか否かを判定する（Ｓ３３）。例えば、市場動向の激変により、既に選択されている販売者の店舗形態や販売形態が販売する商品に対して対応できない状態にある場合や、商品売上情報記憶手段２９９から商品売上情報を取得して、該販売者による商品売上が著しく低いが商品自体に何ら問題がない場合など、該販売区分に対して新しく販売者を選択する（Ｓ３６〜Ｓ３８）。逆に、商品の売上実績等に問題がない場合は選択を行わず、販売者が選択されていない販売区分に対してのみ、販売区分記憶手段２０１から販売区分と販売区分に係る地域情報、市場情報を、販売者記憶手段２０２から販売者の店舗形態、販売形態を取得して（Ｓ３４）、該販売区分に係る地域情報と市場情報とに適合する店舗形態や販売形態を備える販売者を選択する（Ｓ３５）。
【００８７】
次に、商品選択手段３０に係る処理フローについて詳細に説明する。
【００８８】
図１０に示すように、商品情報記憶手段２０３は、商品の調達先となる製造業者等から商品と、商品に係る商品分野、販売価格帯、商品販売形態、広告情報等の商品情報を随時取得して記憶する。（Ｓ４１）。そして、商品選択手段３０が、販売区分記憶手段２０１から販売区分、販売者記憶手段２０２から販売者の店舗形態や販売形態を取得し（Ｓ４２）、該販売区分に係る市場情報と、該販売者の店舗形態や販売形態に基づいて、販売者が販売可能な商品を選択する（Ｓ４３）。
【００８９】
次に、販売区分統合手段４０に係る処理フローについて詳細に説明する。
【００９０】
図１２、図１３に示すように、販売区分統合手段４０は、販売区分、販売者、商品毎の商品売上情報を商品売上情報記憶手段２９９から取得し、商品売上の順位付けを行い、この売上順位を販売区分統合記憶手段２０４に記憶する（Ｓ５１）。さらに、販売区分記憶手段２０１から販売区分を取得して、販売区分に係る地域情報、市場情報から統合可能な販売区分を販売区分統合記憶手段２０４に記憶する（Ｓ５２）。
【００９１】
また、販売区分の統合に際しては、上記の販売区分の属性以外にも、市場動向の変化による販売区分の再構築や販売者の企業規模等に適合させるために販売区分を再構築する場合が考えられるが、上記以外の方法による統合であっても何ら問題はない。さらに、販売区分の統合は、上記の新しく統合された販売区分ＡＡ１１１のみを作成するのではなく、２つ以上の販売区分を抽出して統合した後に、例えば、２以上に分割された新しい販売区分ＡＡ１１１ａ、ＡＡ１１１ｂ、・・・・、を作成するようにしてもよい。
【００９２】
次に、ロケーション選択手段５０に係る処理フローについて詳細に説明する。
【００９３】
図１４に示すように、ロケーション選択手段５０は、市場情報記憶手段２００から商品、店舗のロケーションに関する情報を取得し、商品情報記憶手段２０３から販売形態（販売手段等）を取得して、商品、店舗の最適なロケーション情報を抽出（作成）し、ロケーション情報記憶手段２０５に記憶する（Ｓ６１〜Ｓ６３）。そして、販売区分毎に選択されている商品に対し、販売者が展開する店舗形態や販売手段を備えた販売機器に基づいてロケーション情報を選択する。
【００９４】
また、上記のように、販売者、販売する商品に対するロケーション情報を選択する処理の他に、例えば、ロケーション選択手段５０が販売区分毎に選択された商品のロケーション情報に対して、適合する販売者の店舗形態、販売形態等が存在するか、販売者記憶手段２０２から販売者の店舗形態、販売形態等の情報を取得して判断する処理を行うこともできる（Ｓ６４）。例えば、ロケーション選択手段５０により適合する販売者が存在すると判断された場合、ロケーション選択手段５０が販売者選択手段２０に対して、該当する販売者の選択命令を出し、販売者選択手段２０が販売区分毎に販売者を選択する（Ｓ６８）。適合する販売者が存在しない場合は、ロケーション選択手段５０が販売者記憶手段２０２に記憶されている販売者の店舗形態や販売形態を取得するとともに、商品のロケーション情報に適合するロケーションを開発することが可能か否かを、予めロケーション開発能力の有無を判断したフラグ等の情報から判断し（Ｓ６５）、ロケーション開発可能な販売者が存在する場合には、その販売者にロケーション開発とともに、商品販売を行うよう処理を進める（Ｓ６６）。逆に、ロケーションを開発する販売者が存在しない場合には、販売者記憶手段２０２に記憶されている以外の販売者を新たに開拓するか（Ｓ６７）、販売者の選択とは別に、商品のロケーション開発を独自に行うように、ロケーション選択手段５０が処理を行う。
【００９５】
さらに、図１５に示すように、ロケーション選択手段５０が商品売上情報記憶手段２９９から売上が低い商品の情報を取得し、その商品のロケーションを変更するように処理を進めることも可能である。例えば、ロケーション選択手段５０が商品売上情報記憶手段２９９から売上が低い商品に関する情報を取得するとともに、取得した該商品のロケーション情報をロケーション情報記憶手段２０５から取得し（Ｓ６４ａ）、ロケーションが要因で売上が悪いのか、商品自体がその販売区分では売れない商品なのかなど、市場情報等から商品のロケーションを変更するか否かを判断する（Ｓ６５ａ）。商品のロケーション選択に問題があると判断する場合、もう一度、市場情報記憶手段２００から市場情報を取得して、ロケーション情報記憶手段２０５から該商品のロケーションを再選択する（Ｓ６７ａ）。逆に、商品のロケーションに売上低下の原因がないと判断された場合は、販売者の店舗形態や販売手段等、商品選択に問題があるかどうかを市場情報からチェックする処理を行っても良い（Ｓ６６ａ）。商品のロケーション変更の判断基準としては、例えば、商品売上情報記憶手段２９９に予め商品の売上目標値を設定しておき、売上目標値に達していない商品に関する情報をロケーション選択手段５０が抽出する。また、該商品の売上が悪い原因がロケーションにあるのか否かの判断基準は、例えば、他の販売区分において、同じ商品が違うロケーションで売れているか（同じ商品に対して異なるロケーション情報が設定されている売上情報をロケーション選択手段５０が抽出）、販売区分に係る地域情報や市場情報も補正値として用いて、スコアリングを行い、判断基準値に達するか否かで処理することが可能である。
【００９６】
次に、契約締結手段８０に係る処理フローについて詳細に説明する。
【００９７】
図１６に示すように、契約締結手段８０は、市場情報記憶手段２００から市場情報を取得して（Ｓ７１）、各々の販売区分に適合する販売形態を抽出する（Ｓ７２）。そして、抽出した販売形態に該当する販売者を抽出て、販売者記憶手段２０２に記憶する（Ｓ７３）。予め契約条件を契約情報記憶手段２０８に記憶する（例えば、ロイヤリティーや店舗の確保、商品販売方法等の契約条件を記憶しておく）。販売者記憶手段２０２に記憶されている販売者の中で、契約を締結していない販売者に対して、代理販売契約を締結するかどうかを該契約条件から判断し（Ｓ７４）、適合すると判断した場合、販売者との代理販売契約を締結すべき情報、例えば、契約締結手段８０が契約情報記憶手段２０８にフラグ等をセットする（Ｓ７５）。
【００９８】
また、販売者との代理販売契約、販売委託契約等の契約方法において、図１７に示すような契約方法も可能とさせる。
【００９９】
契約締結手段８０、販売委託手段８５の判断処理により締結すべきと判断されると、契約締結手段８０、販売委託手段８５は、従来の契約システム（オンライン契約等の従来契約システム）等に対して、販売区分Ｎに選択された販売者Ｎとの代理販売契約、販売委託契約を締結するように命令を出す。さらに、この命令により販売者Ｎと契約を締結した後に、契約締結手段８０、販売委託手段８５が販売者Ｎの店舗形態や販売形態の情報を販売者選択手段２０から取得し、販売区分Ｎ１、Ｎ２に対して、販売者Ｎの店舗形態や販売形態に適合する販売者を選択する処理命令を販売者選択手段２０に出し、さらに、契約締結手段８０、販売委託手段８５が、販売区分Ｎ１、Ｎ２に選択された販売者Ｎ１、販売者Ｎ２に対して、販売者Ｎとの間で代理販売契約、販売委託契約等を締結するように、上述の契約処理を行う。さらに、契約締結手段８０、販売委託手段８５が販売区分ＮＡ１、ＮＢ１、ＮＣ１に選択された販売者ＮＡ１、ＮＢ１、ＮＣ１と販売者Ｎ１との代理販売契約、販売委託契約等を締結する契約処理を行う。このように販売区分毎に選択された販売者の店舗形態、販売形態、企業体制等に基づいて、販売する商品に適合する店舗形態や販売形態等を備える販売者に対して順次、契約を締結することも可能である。なお、上記契約締結形態としては、販売者間での契約締結を契約締結手段８０、販売委託手段８５が行っているが、契約締結手段８０、販売委託手段８５が行う契約処理は、契約形態に左右されるのもではない。
【０１００】
この実施の形態（１）によると、地域情報、市場情報に基づいて複数の販売領域を抽出し、抽出した販売領域に基づいて販売区分を作成するため、消費者ニーズ、市場ニーズに適合する商品選択と、販売者の選択を容易にさせるとともに、商品が消費者へと流通する販売経路が販売区分毎に明確になり、消費者の商品選択及び販売者、製造業者の販売商品の幅を広く保ち、消費者と販売者、製造業者との販売戦略に均衡がとれた最適な販売システムを提供することが可能となる。
【０１０１】
さらに、販売区分毎に商品を販売、宣伝する販売者を選択することができるため、市場動向や商品動向に対して、販売区分に密接な（販売区分に係る地域情報、市場情報に適合する）販売形態をもった販売者による商品販売が可能となる。また、実際に販売市場に展開される商品においても、販売区分毎に選択され、また、販売者ごとに選択することも可能であるため、販売区分に最適な販売形態、商品の展開と、販売者が得意とする分野における商品販売との両方からの販売アプローチを行うことができるため、消費者に近い商品の提供を可能とさせる。
【０１０２】
さらに、販売区分毎に選択される販売者により販売経路、商品流通経路の拡大化が実現され、かつ、販売者、製造業者が商品の流通に無闇に干渉することなく、消費者と商品とを繋ぐことができる。したがって、消費者への商品展開が簡素化されるとともに、一元化された商品の販売、流通を確立させる。また、販売機会の減少や、流通経路の複雑性から流通コスト、人件費の高騰等を防止し、商品価格を安定に保持させることが可能となる。
【０１０３】
さらに、商品等を製造する製造業者は、多様な店舗形態や販売形態に対して商品等を提供することが可能となるため、製造業者の負担が軽減されるとともに、製造業者が提供する商品が消費者に対して適切な店舗形態、販売形態により提供することができる。
【０１０４】
また、市場調査や消費者動向等に基づいて、２つ以上の販売区分を抽出して新たに販売区分を作成することが可能となるので、販売区分の再構築が可能となる。したがって、売上や店舗形態の変化、市場変動等に容易に対応可能となる。さらに、販売区分の再構築が行われても、販売区分による商品販売市場への商品展開は、消費者への商品販売、商品流通が一元化されて円滑に行われる。
【０１０５】
さらに、販売される商品に対し、商品を販売する店舗や販売手段を備えた販売機器等のロケーション（販売場所、用地、所在等）を選択することが可能となる。したがって、商品に最適なロケーションによる商品販売を可能とさせて、販促効果を向上させるとともに、商品に最適なロケーションによる販売を促進する場合には、ロケーション情報による販売者の選択が可能となり、商品の販売環境を整備することができる。
【０１０６】
さらに、商品を販売、宣伝する販売者に対して、代理販売契約や共同事業契約、販売委託契約等の様々な契約を販売区分毎に行うことが可能となるため、販売区分毎に市場動向、消費者ニーズに対応した販売経路を確立させる。また、販売区分に適する、例えば、地域密着型の販売者との契約によって、販売区分での商品展開が円滑となり、地域密着型の販売者がさらに、地域に根付いた販売者との契約を締結させることで、商品提供サイクルや販売区分限定の商品展開等が適切に行える。
【０１０７】
また、上述した販売システム１の処理順序を変更することも可能である。例えば、販売者を選択する販売者選択手段２０の処理を行う前に、統合可能な販売区分を統合する販売区分統合手段４０と、商品や商品を販売する販売者の店舗や販売手段を備える販売機器等のロケーションを選択するロケーション選択手段５０との処理を行うようにする。
【０１０８】
このように処理順序を変更すると、販売区分毎に商品の最適なロケーションと、商品を販売する販売者の店舗や販売手段を備える販売機器等の最適なロケーションを選択することで、市場情報に基づいて作成される販売区分の属性に適合する販売システムを提供することが可能になる。したがって、販売区分の属性に重点を置く販売戦略を可能とさせるとともに、上述の販売システム１００と同様な作用、効果が奏される。なお、その他に、商品選択手段３０、販売区分統合手段４０、ロケーション選択手段５０、契約締結手段８０、販売委託手段８５の各処理フローに関しても、販売戦略等の変更に対応して順序変更することも可能であり、上述の作用、効果が個別又は複合的に同様に奏される。
【０１０９】
図１８〜図２４に、本発明に係る実施の形態（２）を示す。
【０１１０】
この実施の形態（２）の販売システム１０１は、前述の実施の形態（１）の販売システム１００に、商品を販売期間等に基づいて各々の販売区分毎にローテーション販売させる商品ローテーション手段６０と、各々の販売区分に選択されている販売者の店舗形態や販売手段を商品ローテーションや販売区分に合わせてローテーションさせる販売ローテーション手段７０とが備えられる実施形態である。
【０１１１】
販売システム１０１は、一方の販売区分で販売される商品を他方の販売区分で販売するように、販売期間等に基づいて商品を販売区分毎にローテーションさせる商品ローテーション情報を記憶する商品ローテーション記憶手段２０６と、一方の販売区分に展開される商品を販売、宣伝する店舗や販売手段を備える販売機器等の店舗形態や販売形態を、一方の販売区分とは異なる他方の販売区分で展開するように店舗形態や販売形態を販売区分毎にローテーションさせる販売ローテーション情報を記憶する販売ローテーション記憶手段２０７と、商品ローテーション情報と販売ローテーション情報とを販売区分に配信するローテーション手段と６０ａとが備えられ、その他に前述の実施の形態（１）の販売区分作成手段１０、販売者選択手段２０、商品選択手段３０、販売区分統合手段４０、ロケーション選択手段５０、契約締結手段８０、販売委託手段８５等で構成される。
【０１１２】
また、ローテーション手段６０ａは、商品ローテーション情報を販売期間等に基づいて、販売区分又は販売者に送信する商品ローテーション手段６０と、販売ローテーション情報を、販売区分又は販売者に送信する販売ローテーション手段７０とで構成されている。
【０１１３】
商品ローテーション手段６０は、市場情報記憶手段２００から地域情報、市場情報を取得する。具体的には、市場ニーズ、商品、消費動向等を取得する。さらに、商品情報記憶手段２０３から商品の販売期間や商品の販売形態を取得して、商品ローテーション情報を作成する。例えば、図２１、図２３に示すように、商品の種類や販売ターゲット等から商品ローテーション可能な商品の組合せを行うとともに、商品の販売期間を市場情報や商品情報から取得する。取得した各情報を基に商品ローテーション情報Ａとして、商品ａ、商品ｂ、商品ｃを選択し、各々商品の販売期間がそれぞれ３０日間、２０日間、１０日間と設定する。この商品ローテーション情報Ａを商品ローテーション記憶手段２０６に記憶させる。そして、販売期間に基づいて商品ローテーション記憶手段２０６から商品ローテーション情報を取得して、商品ローテーションを販売区分又は販売者毎に配信する機能を備えている。
【０１１４】
販売ローテーション手段７０も商品ローテーション手段６０と同様に、市場情報記憶手段２００から市場ニーズ、商品、消費動向等を取得し、商品情報記憶手段２０３から商品の販売期間や商品の販売形態を取得して、販売ローテーション情報を作成する。例えば、図２２、図２３に示すように、販売形態、販売ターゲット等から販売ローテーション可能な店舗形態や販売形態の組合せを行うとともに、販売期間を市場情報や商品情報から取得する。取得した各情報を基に販売ローテーション情報Ａとして、販売手段ａ、販売手段ｂ、販売手段ｃを選択し、各々販売期間がそれぞれ３０日間、２０日間、１０日間と設定して、この販売ローテーション情報Ａをローテーション記憶手段２０６に記憶させる。そして、販売期間に基づいて販売ローテーション記憶手段２０６から販売ローテーション情報を取得して、販売ローテーション情報を販売区分又は販売者毎に配信する機能を備えている。この販売ローテーション情報Ａは商品ローテーション情報Ａとリンクさせるように作成されているが、商品ローテーション情報と販売ローテーション情報をリンクさせずに、独立させて各々作成しても良い。
【０１１５】
次に、図１９〜図２３において、販売システム１０１の処理フローを説明する。
【０１１６】
前述の実施の形態（１）の販売システム１００と同様に、市場情報記憶手段２００が市場のマーケティング調査等から商品の市場動向等の市場情報を随時取得して記憶するとともに、人口分布、年齢層、地理的条件等の地域情報を随時取得して記憶する。（Ｓ１０１）。続いて、販売区分を作成する。上述のように、販売区分作成手段１０が地域情報、市場情報に基づいて販売領域を抽出し、抽出された販売領域から販売区分を作成し、販売区分記憶手段２０１に販売区分と、販売区分に係る地域情報、市場情報とを記憶する（Ｓ１０２、Ｓ１０３）。さらに、一度記憶した販売区分を販売区分記憶手段２０１から取得し、販売区分の関係（領域、地域、区画等の階層的な関係）を再構築して、販売区分記憶手段に記憶する。
【０１１７】
さらに、販売者記憶手段２０２は、商品を販売、宣伝する販売者に関する情報（業種、店舗形態、販売形態、取扱商品等）、地域情報や市場情報と同様に、随時取得して記憶する。また、商品情報も同様に、商品情報記憶手段２０３が随時商品情報を記憶する。（Ｓ１０４、Ｓ１０７）。
【０１１８】
次に、販売者選択手段２０が販売区分記憶手段２０１から販売区分と販売区分に係る地域情報、市場情報を、販売者記憶手段２０２から販売者の店舗形態、販売形態を取得し（Ｓ１０５）、販売区分毎に販売者を選択する（Ｓ１０６）。そして、商品選択手段３０により販売区分に係る市場情報と販売者の店舗形態や販売形態に基づいて販売者が販売可能な商品を選択する（Ｓ１０８）。続いて、ロケーション選択手段５０が、選択された商品に対する最適なロケーション情報を選択する（Ｓ１１０）。このロケーション選択手段５０は、商品のロケーション情報に販売者の店舗形態、販売形態等が適合するか否かを判断して、販売者の店舗形態、販売形態等に即した商品のロケーションを選択する。また、販売者の店舗形態、販売形態等が商品のロケーション情報とマッチングしない場合は、商品のロケーションを優先させた販売者の選択を行うように、商品のロケーション情報に適合する販売者を再選択することもできる。また、販売区分毎に販売者を選択する前に、販売区分統合手段４０による販売区分の統合を行い、販売区分を抽出して販売区分ごとの販売者の選択が行われる処理とすることもできる。
【０１１９】
そして、販売区分統合記憶手段２０４から統合すべき販売区分に関する情報を取得して、統合すべき販売区分が存在する場合に販売区分統合手段４０が、該販売区分の統合を行う（Ｓ１１１）。
【０１２０】
さらに、ローテーション手段６０ａ（商品ローテーション手段）が、選択された商品、販売者等に関する商品ローテーション情報、販売ローテーション情報を商品ローテーション記憶手段２０６と販売ローテーション記憶手段２０７から取得して、販売者に対して、商品又は店舗形態、販売形態等の商品ローテーション情報、販売ローテーション情報を配信する（Ｓ１１２、Ｓ１１３）。商品ローテーション手段６０、販売ローテーション７０の処理は、販売区分、販売者、商品、ロケーション等が選択された後に、独立して機能し、スケジューラ等のタイマー機能を利用して、商品を販売する販売者に対して各ローテーション情報を販売区分又は販売者毎に配信することが望ましい。
【０１２１】
次に、商品ローテーション手段６０に係る処理フローについて詳細に説明する。
【０１２２】
図２１に示すように、商品ローテーション手段６０は、市場情報記憶手段２００から市場ニーズ、商品、消費動向等を取得し（Ｓ８１）、商品情報記憶手段２０３から商品の販売期間等を取得する（Ｓ８２）。そして、商品毎の販売期間等に基づいて、商品ローテーション情報を作成し、商品ローテーション記憶手段２０６に記憶する。さらに、スケジューラ等により商品ローテーション手段６０が独立して機能し、商品ローテーション記憶手段２０６から随時商品の販売期間を取得して、販売期間に迫った商品、例えば、商品入れ替え作業等から販売期間終了の５日前に商品ローテーション指示を販売者に送信する。
【０１２３】
次に、販売ローテーション手段７０に係る処理フローについて詳細に説明する。
【０１２４】
図２２に示すように、販売ローテーション手段７０は、商品ローテーション手段６０と同様に、市場情報記憶手段２００から市場ニーズ、商品、消費動向等を取得し（Ｓ９１）、商品情報記憶手段２０３から商品の販売期間や商品の販売形態を取得する（Ｓ９２）。そして、商品毎の販売期間等に基づいて、販売ローテーションを作成し、販売ローテーション記憶手段２０７に記憶する。さらに、スケジューラ等により販売ローテーション手段７０が独立して機能し、販売ローテーション記憶手段２０７から随時商品の販売期間を取得して、販売期間に迫った店舗形態や販売手段で商品販売している販売者に対して販売ローテーション情報を配信する。
【０１２５】
この実施の形態（２）によると、複数ある販売区分をリンクさせるように一方の販売区分で販売される商品を、販売期間等に基づいて他の区分にローテーションさせて販売することが可能となるため、商品展開の変更や販売区分間での商品流通が円滑に行われることになる。したがって、例えば、商品のバージョンアップ版の展開、死に筋商品から売れ筋商品への移行が確立された販売、流通計慮荷より行われて、商品の流通停滞が防止されるとともに、在庫管理や在庫処理等に対する対策を促進させることが可能となる。
【０１２６】
さらに、商品を販売する販売者の店舗形態や、商品を販売する販売形態（例えば、自動販売機やショーケース、冷蔵庫、冷凍庫、保温ボックス、本棚等）をローテーションさせる販売ローテーション手段７０は、商品に付随する商品の販売形態（店舗形態や販売手段）を、販売区分をリンクさせるようにローテーション展開可能とさせる。したがって、商品売上が停滞している場合は、売れ行きの悪い商品の販売を止めずに、商品を販売する販売形態を変更することで、商品の販売を促進させ、逆に、商品の販売ローテーションを積極的に入れることで、商品の新しさを維持させて販促を促すことが可能となる。
【０１２７】
さらに、前述の実施の形態（１）同様に、販売、流通経路の一元化による効果が、商品ローテーション情報、販売ローテーション情報に作用して、円形にリンクするように一元化された販売と流通経路が確立され、複数の販売者間における商品販売方法の汎用性が向上し、商品の入れ替え、店舗形態、販売手段の変更や再構築等のシステムが確立される。したがって、多種多様な商品展開と、多種多様な市場ニーズを融合させた的確な商品販売、流通を確立させることできる。なお、その他の作用、効果は前述の実施の形態（１）と同様に奏される。
【０１２８】
また、販売システム１０１における販売者を選択する販売者選択手段２０の処理を行う前に、販売区分や販売者間での商品ローテーションを行う商品ローテーション手段６０と、販売区分や販売者間での商品の販売形態の販売ローテーションを行う販売ローテーション手段７０との処理を行うように構築することも可能である。このように順序で処理を行うと、販売者で販売する商品のローテーションから、販売者を選択し、該商品のロケーションを選択するシステムが提供される。したがって、商品サイクルの短いものや販売戦略上、重要な販売区分での商品販売等に対して、円滑に商品をローテーションさせることができる販売者、例えば、販売形態や在庫管理が同じ販売者を選択することで、商品の販売、流通経路を活性化させることができる。また、販売ローテーションも同様に、商品のローテーションに付随して販売ローテーションを選択すれば、商品の入れ替え、店舗形態、販売手段の変更等がより円滑に行われる。その他、上述の販売システム１０１と同様な作用、効果が奏され、商品選択手段３０、販売区分統合手段４０、ロケーション選択手段５０、契約締結手段８０、販売委託手段８５の各処理フローを、販売戦略等の変更に対応して順序変更することも可能であり、上述の作用、効果が個別又は複合的に同様に奏される。
【０１２９】
また、販売システム１０１における販売者を選択する販売者選択手段２０の処理を行う前に、商品や商品を販売する販売者の店舗形態や販売手段のロケーションを選択するロケーション選択手段５０と、販売区分や販売者間での商品ローテーションを行う商品ローテーション手段６０と、販売区分や販売者間での商品の販売形態の販売ローテーションを行う販売ローテーション手段７０との処理を行うように構築することも可能である。このように順序で処理を行うと、販売区分毎に商品の最適なロケーションと、商品を販売する販売者等の店舗や販売手段等の最適なロケーションを選択し、該ロケーションに基づいて、商品ローテーション、販売ローテーションを選択することができる販売システムが提供される。例えば、商品のロケーション情報を基に市場情報を活用して商品ローテーションを作成すれば、商品が一定のロケーション環境で販売されるようにローテーションさせることができ、商品の価値や品質を低下させることのない安定した商品提供が可能となる。その他、上述の販売システム１０１と同様な作用、効果が奏され、商品選択手段３０、販売区分統合手段４０、ロケーション選択手段５０、契約締結手段８０、販売委託手段８５の各処理フローを、販売戦略等の変更に対応して順序変更することも可能であり、上述の作用、効果が個別又は複合的に同様に奏される。
【０１３０】
以上、上述の実施の形態以外にも、販売区分手段１０、販売者選択手段２０、商品選択手段３０、販売区分統合手段４０、ロケーション選択手段５０、商品ローテーション手段６０、販売ローテーション手段７０、契約締結手段８０、販売委託手段８５等の処理フローの順序を変更して、効果的に販売システムを構築することも可能である。また、処理フローの順序を変更して構築した販売システムにおいても、基本的な作用、効果は上述の実施の形態と同様である。
【０１３１】
さらに、店舗形態や販売手段等の語句は上述の実施の形態で説明した内容に限定されものではない。
【０１３２】
【発明の効果】以上のように、本発明に係る販売システム、販売プログラム及び販売方法は、消費者ニーズ、市場ニーズに適合する商品選択と、商品を販売、宣伝する販売者の選択を容易にさせるとともに、商品が消費者へと流通する販売経路が明確になり、消費者の商品選択及び販売者、製造業者の販売商品の幅を広く保ちながら、消費者と販売者、製造業者との販売戦略に均衡がとれた最適な販売システムを提供することが可能となる。
【０１３３】
さらに、販売区分毎に商品を販売、宣伝する販売者を選択することができるため、市場動向や商品動向に対して、販売区分に係る地域情報、市場情報に基づいた販売形態により商品販売が可能となる。また、実際に販売市場に展開される商品においても、販売区分毎に選択され、あるいは、販売者ごとに選択することも可能であるため、販売区分に最適な販売形態と商品の展開と、販売者が得意とする分野における商品販売との両方からの販売アプローチを行うことができるため、消費者に近い商品の提供を可能とさせる。
【０１３４】
さらに、販売区分毎に選択される販売者により販売経路、商品流通経路の多様化と拡大化が実現され、販売者、製造業者が商品の流通に無闇に干渉することなく、消費者と商品とを繋ぐことができる。したがって、消費者への商品展開が簡素化されるとともに、一元化された商品の販売、流通を確立させる。また、販売機会の減少や、流通経路の複雑性から流通コスト、人件費がの高騰等を防止し、商品価格を安定に保持させることが可能となる。
【０１３５】
また、市場調査や消費者動向等に基づいて、２つ以上の販売区分を抽出して新たに販売区分を作成することが可能となるので、販売区分の再構築が可能となる。したがって、売上や店舗形態の変化、市場変動等に容易に対応可能となる。さらに、販売区分の再構築が行われても、販売区分による商品販売市場への商品展開は、消費者への商品販売、商品流通が一元化されて円滑に行われる。
【０１３６】
さらに、商品を販売、宣伝する販売者に対して、代理販売契約や共同事業契約、販売委託契約等の様々な契約を販売区分毎に行うことが可能となるため、販売区分毎に市場動向、消費者ニーズに対応した販売経路を確立させる。また、販売区分に適する地域密着型の販売者との契約によって、販売区分での商品展開が円滑となり、地域密着型の販売者がさらに、地域に根付いた販売者との契約を締結させることで、商品提供サイクルや販売区分限定の商品展開等が適切に行える。
【０１３７】
さらに、複数ある販売区分をリンクさせるように一方の販売区分で販売される商品を、販売期間等に基づいて他の区分にローテーションさせて販売することが可能となるため、商品展開の変更や販売区分間での商品流通が円滑に行われることになる。したがって、商品のバージョンアップ版の展開、死に筋商品から売れ筋商品への移行が確立された販売、流通経路により行われて、商品の流通停滞が防止されるとともに、在庫管理や在庫処理等に対する対策を促進させることが可能となる。
【図面の簡単な説明】
【図１】本発明に係る販売システムのシステムブロック図である。
【図２】本発明に係る販売システムの信号処理系装置のブロック図である。
【図３】本発明に係る実施の形態（１）の販売システムのフローチャートである。
【図４】図３に続く販売システムのフローチャートである。
【図５】本発明に係る実施の形態（１）の販売システムにおける販売区分作成手段のフローチャートである。
【図６】本発明に係る実施の形態（１）の販売システムにおける市場情報記憶手段と販売区分記憶手段とを示す図である。
【図７】本発明に係る実施の形態（１）の販売システムにおける販売区分の階層全体図である。
【図８】本発明に係る実施の形態（１）の販売システムにおける販売者選択手段のフローチャートである。
【図９】本発明に係る実施の形態（１）の販売システムにおける販売者記憶手段と、販売者選択の方法を示す図である。
【図１０】本発明に係る実施の形態（１）の販売システムにおける商品選択手段のフローチャートである。
【図１１】図１０の商品選択手段による商品選択方法と商品情報記憶手段とを示す図である。
【図１２】本発明に係る実施の形態（１）の販売システムにおける販売区分統合手段のフローチャートである。
【図１３】本発明に係る実施の形態（１）の販売システムにおける商品売上情報記憶手段と、販売区分統合記憶手段とを示し、販売区分の統合方法を示す図である。
【図１４】本発明に係る実施の形態（１）の販売システムにおけるロケーション選択手段のフローチャートである。
【図１５】図１４の別形態のフローチャートである。
【図１６】本発明に係る実施の形態（１）の販売システムにおける契約締結手段のフローチャートである。
【図１７】図１６における契約、委託方法を示す図である。
【図１８】本発明に係る実施の形態（２）の販売システムのシステムブロック図である。
【図１９】本発明に係る実施の形態（２）の販売システムのフローチャートである。
【図２０】図３に続く販売システムのフローチャートである。
【図２１】本発明に係る実施の形態（２）の販売システムにおける商品ローテーション手段を示すフローチャートである。
【図２２】本発明に係る実施の形態（２）の販売システムにおける販売ローテーション手段を示すフローチャートである。
【図２３】本発明に係る実施の形態（２）の販売システムにおける商品ローテーション記憶手段と販売ローテーション記憶手段とを示す図である。
【図２４】図２１、２２のローテーション方法を示す図である。
【符号の説明】
１０      販売区分作成手段
２０      販売者選択手段
３０      商品選択手段
４０      販売区分統合手段
５０      ロケーション選択手段
６０ａ    ローテーション手段
６０      商品ローテーション手段
７０      販売ローテーション手段
８０      契約締結手段
１００    販売システム
２００    市場情報記憶手段
２０１    販売区分記憶手段
２０２    販売者記憶手段
２０３    商品情報記憶手段
２０４    販売区分統合記憶手段
２０５    ロケーション情報記憶手段
２０６    商品ローテーション記憶手段
２０７    販売ローテーション記憶手段
２０８    契約情報記憶手段
３００    信号処理系装置
【図１】
2004310555.tif 000003
【図２】
2004310555.tif 000004
【図３】
2004310555.tif 000005
【図４】
2004310555.tif 000006
【図５】
2004310555.tif 000007
【図６】
2004310555.tif 000008
【図７】
2004310555.tif 000009
【図８】
2004310555.tif 000010
【図９】
2004310555.tif 000011
【図１０】
2004310555.tif 000012
【図１１】
2004310555.tif 000013
【図１２】
2004310555.tif 000014
【図１３】
2004310555.tif 000015
【図１４】
2004310555.tif 000016
【図１５】
2004310555.tif 000017
【図１６】
2004310555.tif 000018
【図１７】
2004310555.tif 000019
【図１８】
2004310555.tif 000020
【図１９】
2004310555.tif 000021
【図２０】
2004310555.tif 000022
【図２１】
2004310555.tif 000023
【図２２】
2004310555.tif 000024
【図２３】
2004310555.tif 000025
【図２４】
2004310555.tif 000026